(57)【特許請求の範囲】
【請求項１】
（ａ）一方基板（１１）の予め定める基準平面内に並ぶ複数の画素電極（５）、表示に拘わる状態が電界に応じて変化する表示媒体からなる表示媒体層、および該表示媒体層を挟んで該全画素電極と対向し、他方基板（１２）で表示面（２１）に近いほうに配置される単一の共通電極（２４）を含むパネル部と、
（ｂ）前記各画素電極（５）と前記共通電極との間にある前記表示媒体の状態を制御するための電界を規定するために、時間経過に伴って電圧が変化する階調信号を、前記全ての各画素電極にそれぞれ与え、
階調信号は、直流成分の階調信号用基準電圧ＶＤｓに、予め定める周期でかつ矩形波形の階調信号用交流成分が重畳された脈動信号であり、
階調信号用交流成分の振幅は、予め定める最大電圧差Ｖｓｐｐの半分の値以下の電圧範囲で時間経過に伴い変動する階調信号供給手段と、
（ｃ）前記時間経過に伴って予め定める変化パターンで電圧が変化可能な基準信号を、前記共通電極（２４）に与え、
基準信号は、直流成分の基準信号用基準電圧ＶＤｂに、階調信号と同じ周期および予め定める振幅を有する基準信号用交流成分が重畳された脈動信号であり、
前記基準信号の最大電圧と該基準信号の最小電圧との差分Ｖｂｐｐが、前記共通電極の面積ｘ［ｍ2］に基づいて定められる第１上限電圧差ＶＭＡＸ１
ＶＭＡＸ１＝０．３５７８×ｘ-0.6156［Ｖ］
以下であり、
基準信号の位相は、階調信号の位相の逆位相になっている基準信号供給手段とを含み、
（ｄ）前記パネル部は、
前記他方基板（１２）には、
前記基準信号供給手段と前記共通電極（２４）との間に介在される基準信号線（１７）が形成され、
前記一方基板（１１）には、
前記階調信号供給手段と前記画素電極（５）との間にそれぞれ介在される複数の階調信号線（１４）と、
前記階調信号線（１４）と前記画素電極（５）との間にそれぞれ介在される複数のス
イッチング素子と、
前記各スイッチング素子の開閉状態を制御するための走査信号を、該スイッチング素子にそれぞれ供給するための複数の走査信号線（１３）とが形成されて構成され、
（ｅ）走査信号線（１３）に走査信号を与え、この走査信号は、基準信号の周期の整数倍の周期および基準信号の周期の半分の幅の矩形波形を有し、スイッチング素子を駆動するパルス信号である走査信号供給手段をさらに含むことを特徴とする表示装置。
【請求項２】
（ａ）一方基板（１１）の予め定める基準平面内に並ぶ複数の画素電極（５）、表示に拘わる状態が電界に応じて変化する表示媒体からなる表示媒体層、および前記表示媒体層を介して前記画素電極（５）とそれぞれ対向し、他方基板（１２）で表示面（２１）に近いほうに配置される複数の対向電極（６）を含むパネル部と、
（ｂ）時間経過に伴って予め定める変化パターンで電圧が変化する基準信号を、前記全ての画素電極に供給し、
基準信号は、基準信号用直流成分の基準電圧ＶＤｂに、予め定める周期および予め定める振幅を有する基準信号用交流成分が重畳された脈動信号である基準信号供給手段と、
（ｃ）相互に対向する前記各画素電極（５）および各対向電極（６）間にある前記表示媒体の状態を制御するための電界をそれぞれ規定させるために、時間経過に伴って電圧が変化する階調信号を、該各対向電極（６）にそれぞれ与え、
階調信号は、階調信号用直流成分の基準電圧ＶＤｓに、基準信号と同じ周期でかつ矩形波形の階調信号用交流成分が重畳された脈動信号であり、
階調信号用交流成分の振幅は、予め定める最大電圧差Ｖｓｐｐの半分の値以下の電圧範囲で時間経過に伴って変動し、
前記階調信号の最大電圧と該階調信号の最小電圧との差分Ｖｓｐｐが、前記全ての画素電極が配置され得る予め定める表示領域の面積ｘ［ｍ2］および該表示領域の面積ｘに対する前記全対向電極の面積の割合ｙに基づいて定められる第２上限電圧差ＶＭＡＸ２
ＶＭＡＸ２＝ａ×ｘ-b［Ｖ］
ａ＝  ０．３５６５×ｙ-0.6829
ｂ＝−０．０９３７ｙ＋０．７０９１
以下であり、
基準信号の位相は、階調信号の位相の逆位相になっている階調信号供給手段とを含み、
（ｄ）前記パネル部は、
前記他方基板には、
前記階調信号供給手段と複数の前記対向電極（６）との間にそれぞれ介在される複数本の階調信号線（１４）が形成され、
前記一方基板には、
前記基準信号供給手段と複数の前記画素電極との間にそれぞれ介在される複数の基準信号線（１７）と、
前記基準信号線（１７）と前記複数の画素電極（５）との間にそれぞれ介在される複数のスイッチング素子（１５）と、
前記複数の各スイッチング素子の開閉状態の制御のための走査信号を、該スイッチング素子に供給し、基準信号線（１７）とは交差しない複数の走査信号線（１３）とが形成されて構成され、
前記階調信号線（１４）は、走査信号線（１３）および基準信号線（１７）に対してねじれの位置にあり、
（ｅ）走査信号線（１３）に走査信号を与え、この走査信号は、基準信号の周期の整数倍の周期および基準信号の周期の半分の幅の矩形波形を有し、スイッチング素子を駆動するパルス信号である走査信号供給手段をさらに含むことを特徴とする表示装置。
【請求項３】
前記各階調信号線（１４）と該各階調信号線に接続された複数の対向電極（６）とは一体化されて、導電体部を形成し、
前記導電体部内の前記基準信号線（１７）と対向する第１部分（４８）の単位長さ当たりの面積は、該導電体部の該第１部分（４８）以外の残余部分の単位長さ当たりの面積よりも小さく、
前記導電体部内の前記走査信号線（１３）と対向する第２部分（４７）の単位長さ当たりの面積は、該導電体部内の該第２部分（４７）以外の残余部分の単位長さ当たりの面積よりも小さいことを特徴とする請求項２記載の表示装置。
【請求項４】
前記導電体部は略帯状であり、かつ該導電体部内の前記第１部分には穴が設けられており、
該導電体部内の前記第２部分にも穴が設けられていることを特徴とする請求項３記載の表示装置。
【請求項５】
請求項１〜４のうちのいずれか１つに記載の表示装置を含み、
前記表示媒体が液晶であることを特徴とする液晶表示装置。
【発明の詳細な説明】
【０００１】
【発明が属する技術分野】
本発明は、電界に応じて状態が変化する表示媒体を用いた表示装置に関し、特に該表示媒体として液晶を用いた液晶表示装置に関する。
【０００２】
【従来の技術】
ネマティック液晶を用いたセグメント型の液晶表示装置は、たとえば時計の表示部、または電卓の表示部として、従来から広く利用されている。またネマティック液晶を用いたマトリクス型の液晶表示装置は、ワードプロセッサの表示部、コンピュータの表示部、またはナビゲーション装置の表示部として利用されるため、市場をより拡大している。これら液晶表示装置は、他の表示装置、たとえば陰極線管よりも装置の厚みが格段に薄く、該他の表示装置よりも軽量であり、該他の表示装置よりも消費電力が小さく、かつ該他の表示装置よりもフルカラー化が容易である。このために前記液晶表示装置は、前記他の表示装置の利用分野よりも広い分野における需要が広がっている。たとえば前記液晶表示装置は、パーソナルコンピュータの表示部、各種のモニタ装置、携帯型テレビジョン装置、およびカメラの表示部として、利用されている。
【０００３】
前記マトリクス型の液晶表示装置は、複数の画素が行列状に配置されて構成される液晶パネルと、該液晶パネルに電気信号を供給するための液晶駆動部とを含む。各画素は、平板状の画素電極と平板状の対向電極との間に液晶が介在されて、それぞれ構成される。前記マトリクス型の液晶表示装置のうち、能動素子をスイッチング素子として用いたアクティブマトリクス型の液晶表示装置が、特に良く利用されている。前記能動素子は、たとえば、薄膜トランジスタ（以後「ＴＦＴ」と略称することがある）で実現される。
【０００４】
ＴＦＴを用いた従来技術のアクティブマトリクス型の液晶表示装置の液晶パネル構造は、以下のとおりである。前記液晶パネルは、前記複数の画素の他に、透光性を有する主基板および対向基板、少なくとも１本の基準信号線、該全画素の数と同数のＴＦＴ、複数本の走査信号線、ならびに複数本の階調信号線をさらに含む。前記全画素の対向電極は、前記対向基板の一方面上に行列状に並べられ、かつ基準信号線を介して相互に電気的に接続される。前記全画素の対向電極および基準信号線は一体化されて、前記全画素の画素電極と対向し得る１枚の導電性材料の薄膜、すなわち共通電極を形成している。
【０００５】
前記全画素の画素電極は、前記主基板の一方面上に行列状に並べられる。前記各走査信号線は、前記画素電極の周囲を通りかつ画素の配列の行方向にそれぞれ平行に、前記主基板の一方面上に並べられる。前記各階調信号線は、前記画素電極の周囲を通りかつ画素の配列の列方向に平行に、前記主基板の一方面上に並べられる。前記各ＴＦＴは前記主基板の一方面上に配置され、該各ＴＦＴのドレイン端子は前記各画素電極にそれぞれ接続され、該各ＴＦＴのゲート端子はいずれか１本の走査信号線に接続され、該各ＴＦＴのソース端子はいずれか１本の階調信号線に接続される。さらに前記液晶表示装置がカラー画像を表示可能である場合、前記主基板または対向基板上に、カラーフィルタがさらに設けられる。前記各走査信号線と前記各階調信号線とは前記主基板上で相互に直交し、かつこれら信号線の交叉部において該２本の信号線が短絡しないように、該信号線は電気的に絶縁されている。以上が前記液晶パネルの構造である。なお本明細書において、上述の構造、すなわち全画素の対向電極が基準信号線に接続されている液晶パネルの構造を、「現行構造」と称する。
【０００６】
前記現行構造のアクティブマトリクス型の液晶パネルを含む液晶表示装置の液晶駆動部は、前記各ＴＦＴの駆動制御のための走査信号を前記各走査信号線を介して該各ＴＦＴに供給する。かつ前記液晶駆動部は、前記各ＴＦＴが駆動されている間、すなわち該各ＴＦＴのソース端子およびドレイン端子間の電気信号の伝達が可能な間、該各ＴＦＴに接続された画素電極を含む画素の表示状態を定めるための表示信号を、前記各階調信号線および該各ＴＦＴを介して該画素電極に供給する。さらに前記液晶駆動部は、予め定める基準信号を、前記共通電極に常に供給する。前記走査信号および階調信号は、時間経過に伴い電圧が変化する脈動信号である。前記基準信号は、前記液晶駆動部がいわゆるライン反転駆動を行う場合、前記脈動信号であり、前記液晶駆動部がいわゆるドット反転駆動を行う場合、予め定める電圧を常に保つ定常信号である。この結果前記画素電極と前記共通電極との間に印加される電圧に応じて、該電極間の液晶の状態が決定される。
【０００７】
このような構成の従来技術のアクティブマトリクス型の液晶表示装置の液晶パネルは、前記走査信号線と前記階調信号線とが前記主基板上で交差する構造になっている。ゆえに前記液晶パネルは、たとえば該信号線の交叉部で該２本の信号線が短絡するような欠陥が、生じ易い。この結果前記従来技術の液晶表示装置の歩留りが他の構成の液晶表示装置よりも低くなり易い。
【０００８】
上述の問題を解決するために、いわゆる米国特許４６９４２８７号公報は、いわゆる対向ソース構造の液晶パネルを開示している。ＴＦＴを用いた従来技術の対向ソース構造のアクティブマトリクス型の液晶パネル構造は、以下のとおりである。対向ソース構造の液晶パネルは、前記複数の画素の他に、透光性を有する対向基板および主基板、複数本の階調信号線、該全画素の数と同数のＴＦＴ、複数本の走査信号線、ならびに少なくとも１本の基準信号線をさらに含む。
【０００９】
前記全画素の対向電極は、前記対向基板の一方面上に行列状に並べられる。前記各階調信号線は、前記対向電極の周囲を通りかつ画素の配列の列方向に平行に、前記対向基板の一方面上に並べられる。前記全画素のうちの画素の配列において任意の１本の列を構成する複数の画素の対向電極は、該列の近傍を通る任意の１本の階調信号線に、電気的に接続される。前記任意の階調信号線と該信号線に接続された全対向電極とは一体化されて、前記複数の画素の画素電極と対向し得る１枚の帯状の導電性材料の薄膜片、すなわち列電極を形成している。この結果複数の列電極が、前記対向基板の一方面上に並べられる。
【００１０】
前記全画素の画素電極は、前記主基板の一方面上に行列状に並べられる。前記各走査信号線および各基準信号線は、該画素電極の周囲を通りかつ画素の配列の行方向にそれぞれ平行に、主基板の一方面上に並べられる。前記各ＴＦＴは前記主基板の一方面上に配置され、該各ＴＦＴのドレイン端子は前記各画素電極にそれぞれ接続され、該各ＴＦＴのゲート端子は前記いずれか１本の走査信号線に接続され、該各ＴＦＴのソース端子は前記いずれか１本の基準信号線に接続される。前記階調信号線、走査信号線、および基準信号線には、前記階調信号、走査信号、および基準信号が、それぞれ供給される。以上が前記対向ソース構造の液晶パネルの構造である。
【００１１】
また特開平４−２１９７３５号公報は、前記対向ソース構造の液晶表示装置において、いわゆるＤＣレベルシフトを防止するための構成を開示している。このために前記公報の液晶表示装置において、基準電位供給バスラインと表示電極との間、すなわち前記基準信号線と前記画素電極との間に、コンデンサが介在されている。さらにまた特開平７−２０４９５号公報は、前記対向ソース構造の液晶表示装置において、対向基板上の列電極と主基板上の基準信号線とによって生じる容量カップリングを無くすための構成を開示している。このために前記公報の液晶表示装置において、複数の画素電極と液晶層を介して対向する透明電極、すなわち前記列電極は、該複数の画素電極とだけそれぞれ対向する複数の第１透明電極と、該複数の第１透明電極同士を接続し、かつ第１透明電極よりも幅が狭い導電層とから構成されている。
【００１２】
情報機器の表示部として使用される画像表示装置に関する規制の１つに、高周波のＥＭＩ（不要輻射）に関する規格基準がある。前記ＥＭＩの規格基準は、従来、無線機器の保護を目的としたものであり、該規格基準は国毎に異なる。近年、高周波のＥＭＩの他に、いわゆる漏洩低周波電磁界の人体への影響が懸念され始めている。このような状況下、漏洩低周波電磁界に関する規制が北欧諸国で設定され、該規制は世界各国に広がりつつある。画像表示装置からの漏洩低周波電磁界に関する規制の１つとして、ＴＣＯ規格が広く知られている。ＴＣＯ規格は、ＳＷＥＤＡＣ（Swedish board for technical accreditation:スウェーデン国立計量・試験評議会）制定のＶＤＣ（ビジュアル・ディスプレイ・ユニット）用測定基準ＭＰＲ−ＩＩに準拠する規格である。ＴＣＯ規格における漏洩低周波電磁界の測定は、スウェーデン規格SS436 14 90 ,IEEE 1140-1994に基づいて行われる。
【００１３】
このように画像表示装置の漏洩低周波電磁界に関する規格基準が定められているので、情報機器の画像表示装置として使用される液晶表示装置は、漏洩低周波電磁界が該規格基準を満たすように設計される必要がある。このためにたとえば液晶表示装置は、液晶パネル表面に電磁間遮断用のフィルムをさらに貼付けた構造になっている。また特開平５−６１０１９号公報は、交流駆動されるフラットディスプレイ装置の表示パネルからの電界輻射を軽減させるための技術を開示している。前記公報の液晶表示パネルは、該パネルの周辺部に電界輻射軽減用の電極をさらに設け、該パネル内にある共通電極に印加される交番電圧と逆極性の電圧が、前記電界輻射軽減用の電極に印加される。
【００１４】
本件出願人は、漏洩低周波電界の軽減処置がなされていない現行構造および対向ソース構造の従来技術の液晶表示装置（以後「未処置ＬＣＤ」と略称することがある）の漏洩低周波電磁界を、上述の測定基準ＭＰＲ−ＩＩに基づいて測定し、かつ測定結果をＴＣＯ規格と比較した。この結果前記未処置ＬＣＤの漏洩低周波電界の一般的な特徴は以下のように予想される。
【００１５】
前記測定の結果、現行構造の未処置ＬＣＤにおいて、該ＬＣＤに入力される信号の周波数がバンドＩ内にある場合の低周波磁界および低周波電界は、ＴＣＯ規格の許容範囲内に収まり、かつ入力される信号の周波数がバンドＩＩ内のある場合の低周波電界は、ＴＣＯ規格の許容範囲内に収まることが難しいことが分かっている。これらの測定結果に基づき、かつ液晶パネルに入力される信号の周波数がおおよそ１５ｋＨｚ以上５５ｋＨｚ以下であることを考慮すると、液晶表示装置における漏洩低周波電界の主要因は対向基板上の部品へ入力される信号の電圧変化であると予想される。
【００１６】
また前記測定の結果、対向ソース構造の未処置ＬＣＤにおいて、基準信号の交流成分の振幅波形が、階調信号の交流成分の振幅波形の逆位相のものになっている場合、前記基準信号の振幅を増大させるほど、漏洩低周波電界が低減することが分かっている。この測定結果に基づき、対向基板上の部品へ入力される信号に対して逆位相の信号が主基板上の部品に入力されている場合、信号のキャンセル効果が起こり、液晶表示装置の漏洩低周波電界が低減されると予想される。さらにまた前記測定の結果、上記２種類の構造の未処置ＬＣＤにおいて、漏洩低周波電界はパネルサイズ依存性を有することが分かっている。すなわち前記未処置ＬＣＤにおいて、液晶パネルが大型になるほど、漏洩低周波電界が増大する。この測定結果に基づき、対向基板上の信号が入力される部品の面積が増加するほど液晶表示装置の漏洩低周波電界が増大すると予想される。
【００１７】
上述の測定結果に基づき、現行構造の従来技術の液晶表示装置は、漏洩低周波電界をＴＣＯ規格の許容範囲内に収めるために、ライン反転駆動方式の代わりにドット反転駆動方式を用いることが、提案されている。これは以下の理由からである。ライン反転駆動方式が用いられる場合、対向基板上の部品に供給される基準信号が、主基板上の部品に供給される階調信号をアシストするように電圧が変化する脈動信号になっている。ゆえに前記液晶表示装置は、ライン反転駆動手法を用いる場合、液晶パネルの大型化に伴い、漏洩低周波電界を前記ＴＣＯ規格の基準値範囲内に収めることが困難になる。ドット反転駆動方式が用いられる場合、前記基準信号は定常信号になっているので、前記対向基板上の部品に供給される基準信号の電圧が変化しないため、ライン反転駆動方式が用いられる場合よりも漏洩低周波電界が低減されると予想される。ゆえ漏洩低周波電界の低減のためにドット反転駆動方式が用いられるのである。
【００１８】
【発明が解決しようとする課題】
前述したように、従来技術の液晶表示装置は、漏洩低周波電界を低減させるために、液晶パネルに電磁界遮断用フィルムがさらに貼られていたり、液晶パネルに電界輻射軽減用の電極および該電極での電圧印加部がさらに加えられている。この結果前記液晶表示装置の製造工程は、上述の漏洩低周波電界遮断のための部材および該部材に付随する回路部品を液晶パネルに取付ける工程を含むので、未処置ＬＣＤの製造工程よりも工数工程数が増大し、かつ未処置ＬＣＤよりも歩留りが低下する。これらの結果前記液晶表示装置の製造コストが未処置ＬＣＤよりも増大する。また前記液晶表示装置は、漏洩低周波電界遮断のための部材および該部材に付随する回路部品の追加に起因して、液晶パネルの透過率が、未処置ＬＣＤよりも低下することがあるので、表示品位が未処置ＬＣＤよりも低下する。
【００１９】
また上述したように、現行構造の従来技術の液晶表示装置は、漏洩低周波電界をＴＣＯ規格の許容範囲内に収めるために、ドット反転駆動手法を用いている。ドット反転駆動用のドライバは、ライン反転駆動用のドライバよりも、構造が複雑でありかつ製造工程が複雑になるので、ドット反転駆動用ドライバのほうがライン反転駆動用ドライバよりも高価である。ゆえにドット反転駆動手法が用いられる前記現行構造の従来技術の液晶表示装置は、現行構造の未処置ＬＣＤよりも、装置コストが増大する。また対向ソース構造の従来技術の液晶表示装置は、対向基板上の部品、すなわち列電極に、階調信号が入力されることになっており、該部品に定常信号を入力することが困難である。ゆえに対向ソース構造の従来技術の液晶表示装置は、駆動手法を改良することによって漏洩低周波電界を抑制することは困難である。
【００２０】
本発明の目的は、製造コストの増大および表示品位の低下を防ぎつつ、漏洩低周波電界を低減可能な表示装置および液晶表示装置を提供することである。
【００２１】
【課題を解決するための手段】
本発明は、（ａ）一方基板１１の予め定める基準平面内に並ぶ複数の画素電極５、表示に拘わる状態が電界に応じて変化する表示媒体からなる表示媒体層、および該表示媒体層を挟んで該全画素電極と対向し、他方基板１２で表示面２１に近いほうに配置される単一の共通電極２４を含むパネル部と、
（ｂ）前記各画素電極５と前記共通電極との間にある前記表示媒体の状態を制御するための電界を規定するために、時間経過に伴って電圧が変化する階調信号を、前記全ての各画素電極にそれぞれ与え、
階調信号は、直流成分の階調信号用基準電圧ＶＤｓに、予め定める基準信号と同じ周期でかつ矩形波形の階調信号用交流成分が重畳された脈動信号であり、
階調信号用交流成分の振幅は、予め定める最大電圧差Ｖｓｐｐの半分の値以下の電圧範囲で時間経過に伴い変動する階調信号供給手段と、
（ｃ）前記時間経過に伴って予め定める変化パターンで電圧が変化可能な基準信号を、前記共通電極２４に与え、
基準信号は、直流成分の基準信号用基準電圧ＶＤｂに、階調信号と同じ周期および予め定める振幅を有する基準信号用交流成分が重畳された脈動信号であり、
前記基準信号の最大電圧と該基準信号の最小電圧との差分Ｖｂｐｐが、前記共通電極の面積ｘ［ｍ2］に基づいて定められる第１上限電圧差ＶＭＡＸ１
ＶＭＡＸ１＝０．３５７８×ｘ-0.6156［Ｖ］
以下であり、
基準信号の位相は、階調信号の位相の逆位相になっている基準信号供給手段とを含み、
（ｄ）前記パネル部は、
前記他方基板には、
基準信号供給手段と前記共通電極２４との間に介在される基準信号線１７が形成され、
前記一方基板には、
前記階調信号供給手段と前記画素電極５との間にそれぞれ介在される複数の階調信号線１４と、
前記階調信号線と前記画素電極５との間にそれぞれ介在される複数のスイッチング素子と、
前記各スイッチング素子の開閉状態を制御するための走査信号を、該スイッチング素子にそれぞれ供給するための複数の走査信号線１３とが形成されて構成され、
（ｅ）走査信号線１３に走査信号を与え、この走査信号は、基準信号の周期の整数倍の周期および基準信号の周期の半分の幅の矩形波形を有し、スイッチング素子を駆動するパルス信号である走査信号供給手段をさらに含むことを特徴とする表示装置である。
【００２２】
本発明に従えば、図１〜図６に示されるように、表示装置は、上述の構成のパネル部を有し、かつ該表示装置の基準信号供給部から供給される基準信号の電圧差Ｖｂｐｐが上述の範囲内の値に制限されている。ゆえに本発明の表示装置は、前記基準信号の電圧差Ｖｂｐｐを調整するだけで、該装置内のパネル部からの基準信号に起因する漏洩低周波電界を、前記ＴＣＯ規格の漏洩低周波電界の上限基準値以下に確実に抑制することができる。
また本発明の表示装置内のパネル部の構造および製造工程は、従来技術のパネル部の構造および製造工程と等しくすることができる。ゆえに本発明の表示装置は、パネル部からの漏洩低周波電界を極めて容易に抑制することができ、かつ、漏洩低周波電界の低減処置に起因する製造コストの増加、パネル部の部品の増加、および歩留りの悪化を、防止することができる。
【００２４】
前記パネル部は、アクティブマトリクス型のパネル部になる。これによって本発明の表示装置は、前記基準信号の電圧差Ｖｂｐｐを調整するだけで、複数の画素から構成される画像を表示可能なパネル部からの基準信号に起因する漏洩低周波電界を、前記ＴＣＯ規格の漏洩低周波電界の上限基準値以下に確実に抑制することができる。したがって本発明の表示装置は、情報機器の画像の表示装置として使用するのに適している。
【００２５】
また本発明は、（ａ）一方基板１１の予め定める基準平面内に並ぶ複数の画素電極５、表示に拘わる状態が電界に応じて変化する表示媒体からなる表示媒体層、前記表示媒体層を介して前記画素電極５とそれぞれ対向し、他方基板１２で表示面２１に近いほうに配置される複数の対向電極６を含むパネル部と、
（ｂ）時間経過に伴って予め定める変化パターンで電圧が変化する基準信号を、前記全ての画素電極に供給し、
基準信号は、基準信号用直流成分の基準電圧ＶＤｂに、予め定める周期および予め定める振幅を有する基準信号用交流成分が重畳された脈動信号である基準信号供給手段と、
（ｃ）相互に対向する前記各画素電極５および各対向電極６間にある前記表示媒体の状態を制御するための電界をそれぞれ規定させるために、時間経過に伴って電圧が変化する階調信号を、該各対向電極６にそれぞれ与え、
階調信号は、階調信号用直流成分の基準電圧ＶＤｓに、基準信号と同じ周期でかつ矩形波形の階調信号用交流成分が重畳された脈動信号であり、
階調信号用交流成分の振幅は、予め定める最大電圧差Ｖｓｐｐの半分の値以下の電圧範囲で時間経過に伴って変動し、
前記階調信号の最大電圧と該階調信号の最小電圧との差分Ｖｓｐｐが、前記全ての画素電極が配置され得る予め定める表示領域の面積ｘ［ｍ2］および該表示領域の面積ｘに対する前記全対向電極の面積の割合ｙに基づいて定められる第２上限電圧差ＶＭＡＸ２
ＶＭＡＸ２＝ａ×ｘ-b［Ｖ］
ａ＝  ０．３５６５×ｙ-0.6829
ｂ＝−０．０９３７ｙ＋０．７０９１
以下であり、
基準信号の位相は、階調信号の位相の逆位相になっている階調信号供給手段とを含み、
（ｄ）前記パネル部は、
前記他方基板には、
前記階調信号供給手段と複数の前記対向電極６との間にそれぞれ介在される複数本の階調信号線１４が形成され、
前記一方基板には、
前記基準信号供給手段と複数の前記画素電極との間にそれぞれ介在される複数の基準信号線１７と、
前記基準信号線１７と前記複数の画素電極５との間にそれぞれ介在される複数のスイッチング素子１５と、
前記複数の各スイッチング素子の開閉状態の制御のための走査信号を、該スイッチング素子に供給し、基準信号線１７とは交差しない複数の走査信号線１３とが形成されて構成され、
前記階調信号線１４は、走査信号線１３および基準信号線１７に対してねじれの位置にあり、
（ｅ）走査信号線１３に走査信号を与え、この走査信号は、基準信号の周期の整数倍の周期および基準信号の周期の半分の幅の矩形波形を有し、スイッチング素子を駆動するパルス信号である走査信号供給手段をさらに含むことを特徴とする表示装置である。
【００２６】
本発明に従えば、図７〜図１２に示されるように、表示装置は、上述の構成のパネル部を有する。上述の構造の液晶パネルは、現行構造の液晶パネルよりも、画素電極およびその周辺に配置される部品に関連する部分の構造が簡単であり、かつパネル部の製造コストが現行構造のパネル部よりも低減され、さらにパネル部の製造後の信頼性が向上する。さらに上述の構造のパネル部における漏洩低周波電界の主要因となる電気信号が供給される部品の面積は、現行構造のパネル部における漏洩低周波電界の主要因となる電気信号が供給される部品の面積よりも狭い。ゆえに第３の発明の表示装置は、現行構造のパネル部を有する表示装置よりも、パネル部からの漏洩低周波電界を低減しやすい。
【００２７】
階調信号供給手段から供給される階調信号の電圧差Ｖｓｐｐは、上述の範囲内の値に制限されている。ゆえに前記表示装置は、前記階調信号の電圧差Ｖｓｐｐを調整するだけで、該装置内のパネル部からの階調信号に起因する漏洩低周波電界を、前記ＴＣＯ規格の漏洩低周波電界の上限基準値以下に確実に抑制することができる。また本発明の表示装置内のパネル部の構造および製造工程は、従来技術の上述の構造のパネル部の構造および製造工程と等しくすることができる。ゆえに本発明の表示装置は、パネル部からの漏洩低周波電界を極めて容易に抑制することができ、かつ、漏洩低周波電界の低減処置に起因する製造コストの増加、パネル部の部品の増加、および歩留りの悪化を、防止することができる。
前記パネル部は、いわゆるマトリクス型のパネル部になる。また前記パネル部は、任意の１本の階調信号線および該信号線に接続された全対向電極が一体化され、さらに任意の１本の基準信号線および該信号線に接続された全画素電極が一体化されたならば、いわゆる単純マトリクス型のパネル部になる。これによって本発明の表示装置は、前記階調信号の電圧差Ｖｓｐｐまたは前記電界を規定するための電圧の差分Ｖｄｙｎを調整するだけで、複数の画素から構成される画像を表示可能なマトリクス型のパネル部からの階調信号に起因する漏洩低周波電界を、前記ＴＣＯ規格の漏洩低周波電界の上限基準値以下に確実に抑制することができる。したがって本発明の表示装置は、情報機器の画像の表示装置として使用することが適している。
前記パネル部は、いわゆる対向ソース構造のアクティブマトリクス型のパネル部になる。これによって本発明の表示装置は、前記階調信号の電圧差Ｖｓｐｐを調整するだけで、複数の画素から構成される画像を表示可能なパネル部からの階調信号に起因する漏洩低周波電界を、前記ＴＣＯ規格の漏洩低周波電界の基準値以下に確実に抑制することができる。したがって本発明の表示装置は、情報機器の画像の表示装置として使用するのにさらに適している。
【００３３】
また本発明は、前記各階調信号線１４と該各階調信号線に接続された複数の対向電極６とは一体化されて、導電体部を形成し、
前記導電体部内の前記基準信号線１７と対向する第１部分４８の単位長さ当たりの面積は、該導電体部の該第１部分４８以外の残余部分の単位長さ当たりの面積よりも小さく、
前記導電体部内の前記走査信号線１３と対向する第２部分４７の単位長さ当たりの面積は、該導電体部内の該第２部分４７以外の残余部分の単位長さ当たりの面積よりも小さいことを特徴とする。
【００３４】
本発明に従えば、図１４、図１５、図１９〜図２１に示されるように、該発明の表示装置では、パネル部内の基準信号線と対向する電気的遮蔽物が、前記第１部分および前記残余部分の単位長さ当たりの面積が相互に等しい従来技術のパネル部よりも減少している。この結果本発明のパネル部における基準信号に起因する漏洩低周波電界のキャンセル効果が、前記従来技術のパネル部における基準信号の漏洩低周波電界のキャンセル効果よりも、増大する。これによって本発明の表示装置のパネル部からの階調信号に起因する漏洩低周波電界は、前記従来技術のパネル部を含む液晶表示装置の漏洩低周波電界よりも、さらに低減する。
【００３５】
またこの結果本発明のパネル部内の第１部分のクロス容量が、従来技術の対向ソース構造のパネル部内の第１部分のクロス容量よりも、減少する。この結果本発明の表示装置は、前記階調信号および基準信号の信号遅延を、従来技術の対向ソース構造のパネル部よりも低減させることができる。これらの理由に基づき本発明の表示装置は、従来技術の対向ソース構造のパネル部を含む表示装置よりも、表示品位を向上させることができる。
パネル部の導電体部内の第２部分の面積は、従来技術の対向ソース構造のパネル部の導電体部内の第２部分の面積よりも減少している。ゆえに本発明の表示装置のパネル部からの漏洩低周波電界は、さらに低減される。
またこの結果本発明のパネル部内の第２部分のクロス容量が、従来技術の対向ソース構造のパネル部内の第２部分のクロス容量よりも、減少する。この結果前記本発明の表示装置は、前記階調信号および走査信号の信号遅延を、従来技術の対向ソース構造のパネル部よりも低減させることができる。これによって本発明の表示装置は、従来技術の対向ソース構造のパネル部を含む表示装置よりも、表示品位を向上させることができる。
【００４２】
また本発明は、前記導電体部は略帯状であり、かつ該導電体部内の前記第１部分には穴が設けられており、
該導電体部内の前記第２部分にも穴が設けられていることを特徴とする。
【００４３】
本発明に従えば、パネル部内の導電体部内の、第１および第２部分の両側にある残余の部分が、該導電体部の第１および第２部分内に残る複数の膜片を介して接続される。これによって前記第１および第２部分内の複数の膜片のうちのいずれかが断線した場合、残余の膜片によって電気的な接続が保たれる。すなわち導電体層が断線しにくくなるので、好ましい。
【００４４】
本発明の表示装置は、前述の表示装置を含み、
前記表示媒体が液晶であることを特徴とする液晶表示装置である。
【００４５】
本発明に従えば、前記液晶表示装置は、前述の表示装置と同じ構成を有し、かつ前記表示媒体層が液晶から形成されている。前記液晶表示装置のパネル部は、いわゆる透過型でもよく、いわゆる反射型でもよい。この結果前記液晶表示装置は、他の構成のパネル部、たとえば陰極線管よりも、パネル部が薄型、軽量でかつ消費電力が低減され、さらにパネル部からの漏洩低周波電界をＴＣＯ規格の上限基準値以下に低減させることができる。したがって本発明の液晶表示装置は、情報機器の表示装置として用いるのに適する。
【００４６】
【発明の実施の形態】
図１は、本発明の第１の実施の形態の液晶表示装置内のパネル部１の等価回路図である。図２は、図１のパネル部１の部分斜視図である。図１と図２とを合わせて説明する。前記液晶表示装置は、パネル部１の他に、表示のための電気信号を該パネル部１に供給するための駆動部をさらに含む。パネル部１は、基本的には少なくとも１つの画素３を含む。各画素３は、平板状の画素電極５と平板状の対向電極６との間に液晶層が介在されて、それぞれ構成される。本実施の形態では、パネル部１は複数の画素３を含むものであるとする。本実施の形態のパネル部１は、スイッチング素子として３端子能動素子を用いたアクティブマトリクス型のパネル部であり、かつ現行構造になっている。なお本実施の形態では３端子能動素子として、薄膜トランジスタ（以後「ＴＦＴ」と略称することがある）が用いられる。
【００４７】
パネル部１は、主基板部７と対向基板部８と液晶部とに区分される。主基板部７は、全画素３の画素電極５の他に、主基板１１、少なくとも１本の走査信号線１３、少なくとも１本の階調信号線１４、全画素３と同数のＴＦＴ１５、全画素３と同数の付加容量部１８、および１枚の配向膜を含む。対向基板部８は、全画素３の対向電極６の他に、対向基板１２、少なくとも１本の基準信号線１７、および１枚の配向膜を含む。本実施の形態では、走査信号線１３および階調信号線１４はそれぞれ複数本ずつあるとする。前記液晶部は、全画素３内の液晶層が一体化された平板状のものであり、主基板部７と対向基板部８との間に配置される。なお図１では、パネル部１は３行２列の６つの画素３を含むものとし、左上の単一の画素３および該画素３の周辺部品以外の残余の部品に対する参照符は省略している。またなお図２では、前記液晶層は省略しており、かつ対向基板部８の一部分が切欠かれている。
【００４８】
少なくとも全画素電極５は、主基板１１の一方面１９に配置される。少なくとも全対向電極６は、対向基板１２の一方面２０に配置される。主基板１１および対向基板１２は、相互に平行に、予め定める間隔を空けて、かつ両基板１１，１２の一方面１９、２０を向かい合わせて、配置される。パネル部１は、対向基板部８の前記液晶層に面する側とは反対側が表示面２１となるように、用いられる。パネル部１の表示面２１の法線方向から見て該表示面２１内の全画素３が並べられた領域を、「表示領域」と称することがある。
【００４９】
全走査信号線１３、全階調信号線１４、全画素電極５、および全ＴＦＴ１５は、主基板１１の一方面１９上に、以下の配列で配置されている。複数本の走査信号線１３は、相互に平行に、かつ相互に予め定める間隔を空けて、並ぶ。複数本の階調信号線１４は、走査信号線の長手方向と直交する方向とそれぞれ平行に、かつ相互に予め定める間隔を空けて並ぶ。この結果各走査信号線１３と各階調信号線１４とは、主基板１１上で相互に直交する。各走査および各階調信号線１３，１４は、これら信号線１３，１４の交叉部において該２本の信号線が相互に短絡しないように、電気的にそれぞれ絶縁されている。前記絶縁のために、たとえば、絶縁層が走査信号線１３と階調信号線１４との間に介在される。
【００５０】
全画素３の画素電極５は、前記表示領域内に、走査信号線１３の長手方向および該長手方向と直交する方向にそれぞれ平行に並べられる。結果として画素電極５の配列は行列状になる。本明細書において、行列状に配置された複数の要素のうち、走査信号線１３の長手方向Ｘに平行に並ぶ一群の要素を「行」と総称し、該長手方向Ｘに直交する方向に平行に並ぶ一群の要素を「列」と総称することがある。画素電極５の行の数は走査信号線１３の本数と等しく、画素電極５の列の数は階調信号線１４の本数と等しい。すなわち画素電極５の各行は各走査信号線１３の隣に配置され、画素電極５の各列は各階調信号線１４の隣に配置される。
【００５１】
各ＴＦＴ１５は各画素電極５の近傍に配置される。各ＴＦＴ１５のドレイン端子およびソース端子のうちのいずれか一方端子は、該各ＴＦＴ１５近傍の各画素電極５に接続され、該各ＴＦＴ１５のドレイン端子およびソース端子のうちのいずれか他方端子は、該各画素電極５近傍のいずれかの階調信号線１４に接続され、該各ＴＦＴ１５のゲート端子は、該画素電極５近傍のいずれかの走査信号線１３に接続される。
【００５２】
各付加容量部１８は、一方および他方電極が絶縁層を介して積層された構造になっており、前記主基板の一方面上の各画素電極５の近傍に配置される。各付加容量部１８の一方電極は、各ＴＦＴ１５のドレイン端子およびソース端子のうちのいずれか一方端子に接続される。各付加容量部１８の他方電極は、１本の共通信号線２３にそれぞれ接続される。共通信号線２３は、たとえば主基板１１の一方面１９上に配置される。
【００５３】
各走査信号線１３，各階調信号線１４，各ＴＦＴ１５，各付加容量部１８、および各画素電極５のうちの少なくとも２種類の部品は、該部品間の短絡を防止する処置がほどこされた状態で、相互に重なって配置されていてもよい。前記短絡防止の処置として、前記２種類の部品の間に、絶縁層が介在される。付加容量部１８は省略されてもよい。
【００５４】
各画素３の対向電極６は、基本的には、対向基板１２の一方面２０上の該各画素３の画素電極５と対向する位置に、配置される。この結果全対向電極６の配列は、基本的には画素電極５と同じ配列になる。全対向電極６は、基準信号線１７を介して相互に電気的に接続されている。なお図１の例では、全対向電極６と基準信号線１７とは一体化されて、単一の共通電極２４を形成している。共通電極２４は略平板状の導電体の薄膜であり、対向基板１２の一方面２０上に配置される。共通電極２４は、たとえば対向基板１２の一方面２０上の前記表示領域に相当する部分を、全て覆う。共通電極２４内の各画素電極５に対向する部分が、該各画素電極５を含む画素内の対向電極６に相当する。以後の説明では、共通電極２４内の前記部分を「対向電極６」と称することがある。
【００５５】
前記２枚の各配向膜は、主基板部７および対向基板部８の前記液晶部に最近接する位置に、配置される。すなわち主基板部７の配向膜は、主基板１１の一方面１９の露出した部分および該一方面１９上の全部品５，１３〜１５，１８を覆い、対向基板部８の配向膜は、対向基板１２の一方面２０の露出した部分および該一方面２０上の全部品２４を覆う。前記配向膜は、画素電極５と対向電極６との間に電圧が印加されていない時点、すなわち電圧無印加時における前記液晶層内の液晶分子の配向状態を、規定する。
【００５６】
また前記液晶層がいわゆるネマティック液晶によって形成され、かつパネル部１がいわゆるＴＮ型またはＳＴＮ型のものである場合、該パネル部１は２枚の偏光板をさらに含む。２枚の偏向板は、主基板部７と対向基板部８と前記液晶部とから構成されるセル部を挟んで、相互に平行に配置される。パネル部１がいわゆるノーマリホワイト表示のものであるならば、前記２枚の各偏光板の偏向軸は、該各偏向板と前記液晶部との間にある各基板部７、８の配向膜の配向方向と、それぞれ平行である。パネル部１がいわゆるノーマリブラック表示のものであるならば、前記２枚の偏光板のうちのいずれか一方の偏向軸は、該一方の偏向板と液晶部との間にある基板部の配向膜の配向方向と平行であり、かつ該２枚の偏向板のうちのいずれか他方の偏向軸は、該他方の偏向板と液晶部との間にある基板部の配向膜の配向方向と直交する。すなわち前記場合、パネル部１内の任意の画素３は、前述の画素電極５および対向電極６ならびに液晶層の他に、２枚の偏向板内の該画素３内の画素電極５と対向する部分を含む。
【００５７】
パネル部１が透過型である場合、少なくとも、主基板１１、対向基板１２、全画素電極５、全対向電極６、および２枚の配向膜は、透光性を有し、かつパネル部１の表示面２１とは反対側の面近傍に、光源がさらに配置される。パネル部１が反射型である場合、少なくとも、対向基板１２、全対向電極６、および対向基板部８の配向膜は、透光性を有する。前記場合、パネル部１の表示面２１とは反対側の面近傍に反射板がさらに設けられても良く、画素電極５が光を反射可能な導電性材料で形成されて反射板を兼ねても良い。さらに前記液晶表示装置がカラー画像を表示可能である場合、主基板１１または対向基板１２上に、カラーフィルタがさらに設けられる。以上が現行構造のパネル部１の構造説明である。
【００５８】
前記液晶表示装置内の駆動部は、パネル部１をライン反転駆動方式またはドット反転駆動方式で駆動する。前記駆動部の概略的な動作は、以下のとおりである。前記駆動部は、予め定める基準信号を、共通電極２４に常に供給する。前記駆動部がライン反転駆動を行う場合、前記基準信号は、時間経過に伴い電圧が変化する脈動信号であり、かつ該信号の電圧の変化パターンは、予め定められている。前記駆動部がドット反転駆動を行う場合、前記基準信号は、時間経過に拘わらず電圧が予め定める電圧をほぼ保つ定常信号である。
【００５９】
また前記駆動部は、各ＴＦＴ１５の駆動制御のための走査信号を、各走査信号線１３を介して該各ＴＦＴ１５に供給する。前記走査信号は、概略的には脈動信号であり、かつ該信号の電圧の変化パターンは、予め定められている。前記走査信号は、各ＴＦＴ１５の状態を、ソース端子とドレイン端子との間の信号伝達が可能な駆動状態、および該２つの端子間の信号伝達が禁止された休止状態のいずれか一方に、規定するための信号である。すなわちＴＦＴ１５はスイッチング素子として働き、前記走査信号によってその開閉状態が制御される。
【００６０】
各ＴＦＴ１５は、前記走査信号によって規定される期間だけ駆動状態になる。さらに前記駆動部は、任意のＴＦＴ１５が駆動状態である間、該ＴＦＴ１５に接続された階調信号線１４に、該画素の表示状態を定めるための階調信号を供給する。前記階調信号は、概略的には脈動信号であり、かつ該信号の電圧の変化パターンは、画素の表示状態に応じて設定される。この結果前記任意のＴＦＴ１５に接続された画素電極５と共通電極２４との間の電圧が、該画素電極５を含む画素３がとるべき表示状態に応じた電圧に規定される。液晶層の表示に拘わる状態、たとえば液晶層の光学的性質は、該液晶層を挟む一対の電極間の電界に応じて変化し、前記電界は該電極間の電圧によって規定される。前記光学的性質は、たとえば光の旋光性である。この結果、画素３内の液晶層の表示に拘わる状態は、該画素３内の画素電極５と対向電極６との間の電界に応じて、すなわち該画素３の表示電圧に応じて、決定される。
【００６１】
前記画素電極５と共通電極２４との間の電圧、すなわち画素３の表示電圧は、設定後、該画素電極５に接続されたＴＦＴ１５が休止状態である間、保持される。また前記画素電極５の電位は、該画素電極５と同じＴＦＴ１５に接続された付加容量部１８によって、ＴＦＴ１５が休止状態の間、保持される。すなわち各付加容量部１８は、該付加容量部の一方電極と同じＴＦＴ１５に接続された画素電極５を含む画素３内の液晶層に印加される電圧を、該ＴＦＴ１５が休止状態の間保つために、用いられる。以上が前記駆動部の概略動作説明である。
【００６２】
図３は、パネル部１に与えられる上述の４種類の信号の具体的な波形図である。前記ライン反転駆動時の基準信号は、具体的には、図３（Ａ）に示すように、予め定める第１の基準電圧ＶＤｂの直流成分に、予め定める周期および予め定める振幅でかつ矩形波形の交流成分が重畳された脈動信号になっている。前記ドット反転駆動時の基準信号は、具体的には、図３（Ｂ）に示すように、たとえば第１の基準電圧ＶＤｂの直流成分に、予め定める周期および振幅でかつ微分波形の交流成分が重畳された脈動信号になっている。前記走査信号は、具体的には、図３（Ｃ）に示すように、前記基準信号の周期の整数倍の周期で、該基準信号の周期の半分の幅の矩形波形のパルスが立上がるパルス信号になっている。前記走査信号が与えられたＴＦＴ１５は、該信号がハイレベルの間だけ駆動状態になり、該信号がローレベルの間、休止状態になる。
【００６３】
前記階調信号は、具体的には、図３（Ｄ）に示すように、予め定める第２の基準電圧ＶＤｓの直流成分に、前記基準信号と同じ周期でかつ矩形波形の交流成分が重畳された脈動信号になっている。前記階調信号の交流成分の振幅は、０Ｖより大きくかつ該階調信号の予め定める最大電圧差Ｖｓｐｐの半分の値以下の電圧範囲内で、時間経過に伴い変動している。本実施の形態では、前記基準信号、階調信号、および走査信号は相互に同期し、かつ前記基準信号の位相は前記階調信号の位相の逆位相になっている。前記基準信号は、前記階調信号の振幅をアシストする形になっていることが好ましい。以上が信号説明である。
【００６４】
本実施の形態の液晶表示装置は、パネル部１からの漏洩低周波電界をＴＣＯ規格の漏洩低周波電界の規定範囲内に収めるために、前記駆動部から該パネル部１に与えられる電気信号を調整している。
【００６５】
ＴＣＯ規格は、ＳＷＥＤＡＣ（Swedish board for technical accreditation:スウェーデン国立計量・試験評議会）制定のＶＤＵ（Visual Display Units）用測定基準ＭＰＲ−ＩＩに準拠する規格である。ＴＣＯ規格の基準内容は、以下の表１に示すように、予め定義された測定箇所における漏洩低周波電磁界の上限基準値が定義され、該上限基準以下の範囲を規定範囲としている。なお試験信号の周波数は、バンドＩとバンドＩＩとの２つの周波数帯域に分割され、各周波数帯域毎に漏洩低周波電磁界の上限基準値が、設定されている。バンドＩは、いわゆるＥＬＦ（Extremely Low Frequency）、すなわち５Ｈｚ以上２ｋＨｚ未満の周波数帯域であり、バンドＩＩは、いわゆるＶＬＦ（Very Low Frequency）、すなわち２ｋＨｚ以上４００ｋＨｚ未満の周波数帯域である。ＴＣＯ規格における漏洩低周波電磁界の測定は、スウェーデン規格SS436 14 90,IEEE 1140-1994に基づいて行われ、かつ漏洩低周波電磁界の測定時の測定画面は、画面全体に白色の文字「Ｈ」を表示しかつ該画面の背景色を黒にした画面であると規定されている。
【００６６】
【表１】
0003699850.tif 000002
【００６７】
本件出願人は、従来技術で説明したように、漏洩低周波電磁界の軽減処置が施されていない現行構造および対向ソース構造の液晶表示装置（以後「未処置ＬＣＤ」と称することがある）の漏洩低周波電界に関して、以下の特徴があると予想している。前記液晶表示装置における漏洩低周波電界の主要因は、該装置内の電気信号が与えられる部品のうち、該装置の表示面に近いほうの部品へ入力される信号であると予想される。また前記液晶表示装置内の電気信号が与えられる部品のうちの前記表示面に遠いほうの部品へ入力される信号の交流成分の振幅波形が、前記表示面に近いほうの部品へ入力される信号の交流成分の振幅波形の逆位相のものになっている場合、信号のキャンセル効果が起こり、液晶表示装置の漏洩低周波電界が低減されると予想される。前記場合、前記近いほうの部品の面積が減少するほど、漏洩低周波電界の軽減効果が大きくなると予想される。さらにまた前記表示面に近いほうの部品の面積が増加するほど液晶表示装置の漏洩低周波電界が増大する、たとえば該部品の面積に比例して漏洩低周波電界が増大すると、予想される。
【００６８】
これらの結果、パネル部１からの漏洩低周波電界をＴＣＯ規格の規定範囲内に収めるために、基本的には、パネル部１内の電気信号が与えられる部品のうち表示面２１に近いほうの部品に与えられる該電気信号は、該信号の最大電圧差が予め定める許容範囲内に収まるように、設定される。前記電気信号の最大電圧差は、該電気信号が取得る上限電圧と該電気信号が取得る下限電圧との差分であり、該基準信号の交流成分の振幅が時間経過に拘わらず常に等しい場合、該振幅の２倍の値に相当する。
【００６９】
パネル部１において、前記表示面２１に近いほうの部品は共通電極２４であり、かつ該部品に与えられる電気信号は基準信号である。ゆえに基準信号の最大電圧差Ｖｂｐｐは、以下の式１で規定される現行構造の上限電圧差ＶＭＡＸ１以下で、かつ該基準信号の前記最大電圧差Ｖｂｐｐとして許容される最小の電圧差以上である許容範囲内の値になっている。前記基準信号の最大電圧差Ｖｂｐｐは、液晶の閾値に依存する値である。なお以下の式において、「ｘ」は、前記表示面２１に近いほうの部品の表面積の総和、すなわち共通電極２４の表面積の総和（以後「パネル面積」と略称することがある）であり、単位は平方メートル［ｍ2 ］である。本実施の形態では、共通電極２４の面積は前記表示領域の面積と等しい。
【００７０】
ＶＭＡＸ１＝０．３５７８×ｘ-0.6156                     …（１）
前記基準信号の最大電圧差Ｖｂｐｐとして許容される最小の電圧差は、０Ｖである。これは、パネル部１がライン反転駆動方式で駆動される場合、前記基準信号は脈動信号なので前記最小の電圧差は０Ｖに極めて近い値になり、かつパネル部１がドット反転駆動方式で駆動される場合、前記基準信号は定常信号なので該最小の電圧差は０Ｖになるからである。ゆえに基準信号の最大電圧差Ｖｂｐｐの具体的な許容範囲は、式２に示すように、０Ｖ以上かつ上限電圧差ＶＭＡＸ１以下になる。
【００７１】
０≦Ｖｂｐｐ≦ＶＭＡＸ１                                …（２）
第１の実施の形態の液晶表示装置のパネル部１、すなわち現行構造のパネル部１における基準信号の最大電圧差Ｖｂｐｐの上限電圧差ＶＭＡＸ１は、以下の第１の実験に基づいて定められた。前記第１実験のために、パネル面積ｘだけが相互に異なる２種類の現行構造の実パネルと、パネル面積ｘだけが相互に異なる５種類の模擬パネルとが、用意された。現行構造の実パネルの構造は、図１で説明した現行構造のパネル部１と等しい。模擬パネルは、該模擬パネルが模すパネル部の表示領域と合同な形状の段ボール紙の一方面全体に、アルミ箔を張付けたものである。本実施の形態では、実パネルおよび模擬パネルのサイズを該パネルの表示領域の対角線の長さで示す。２種類の現行構造の実パネルの表示領域の対角線の長さは、それぞれ１３．３ｉｎｃｈおよび１５．０ｉｎｃｈであり、５種類の模擬パネルの表示領域の対角線の長さは、それぞれ８．０ｉｎｃｈ，１３．３ｉｎｃｈ，１５．０ｉｎｃｈ，１８．１ｉｎｃｈ，２１．０ｉｎｃｈである。
【００７２】
またこれらパネルに入力するべき試験信号として、最大電圧差Ｖｂｐｐが相互に異なる５種類の脈動信号が用意された。前記５種類の試験信号は、黒表示電圧の上限値が相互に異なる５種類の現行構造のパネル部において、該パネル部の表示面２１全体が黒になっている状態（以後「黒表示画面時」と称する）、すなわち該表示面２１内の全画素が黒表示状態がなっている状況下の基準信号に相当する。前述の試験信号は、漏洩低周波電磁界の測定に本来用いるべき試験信号、すなわちスウェーデン規格SS436 14 90,IEEE1140-1994に基づいた信号、つまり、測定対象の現行構造のパネル部において該パネル部の表示面２１全体に背景色を黒にしつつ白色の「Ｈ」を表示する状態（以後「Ｈ画面時」と称する）の基準信号と等しい。ゆえに上述の黒表示画面時の基準信号を試験信号として用いた場合の実験およびその結果は、Ｈ画面時の基準信号を試験信号として用いた場合の実験およびその結果と同様に扱うことができるので、両者の場合の実験はそのまま相互に比較可能である。５種類の試験信号の最大電圧差Ｖｂｐｐは，それぞれ５Ｖ，４Ｖ，３Ｖ，２Ｖ，１Ｖである。また５種類の試験信号の周波数は、ＴＣＯ規格のバンドＩＩ内の周波数、すなわち２ｋＨｚ以上４００ｋＨｚ以下であり、本実施の形態では約２５ｋＨｚであるとする。
【００７３】
図４は、本実施の形態の実験において、パネル部１からの漏洩低周波電磁界を測定するための実験設備の構成を示すブロック図である。前記漏洩低周波電磁界の測定は、スウェーデン規格SS436 14 90,IEEE1140-1994に基づいた測定法に従って行われた。前記実験設備において、測定対象となるパネル部１は、該パネル部に前記試験信号を入力するための信号発生機に接続され、かつ接地される。前記信号発生機には、電源が接続される。パネル部の表示面２１から３０ｃｍの距離だけ離れた位置に、漏洩低周波電界を測定するための測定器が配置される。測定器は、本実施の形態の実験では、東陽テクニカ製のＥＦＭ１００（商品名）が用いられる。
【００７４】
【表２】
0003699850.tif 000003
【００７５】
表２は、１３．３ｉｎｃｈならびに１５．０ｉｎｃｈの実パネルおよび模擬パネルに、最大電圧差Ｖｂｐｐが５Ｖの試験信号をそれぞれ入力した状態で測定された漏洩低周波電界を示す。表２の測定結果に基づき、前記試験信号が入力された状態で測定された或る模擬パネルの漏洩低周波電界は、該模擬パネルが模す実パネルに該試験信号を入力した状態の該実パネルからの漏洩低周波電界に、実験データとして置換えが可能な程度に近似または一致することが分かる。ゆえに本実験では、上述の構成の模擬パネルにおける測定結果である漏洩低周波電界を、該模擬パネルが模す実パネルの漏洩低周波電界として用いた。
【００７６】
【表３】
0003699850.tif 000004
【００７７】
表３は、前記５種類の各試験信号が入力された状態における、前記５種類の模擬パネルが模す実パネルからの漏洩低周波電界の測定結果を示す。なお５種類の実パネルからの漏洩低周波電界は、実際には、前記５種類の各試験信号が前記５種類の模擬パネルのアルミ箔にそれぞれ入力された状態で、該模擬パネルからの漏洩低周波電界を測定した測定結果である。図５は、前記５種類の各実パネルの漏洩低周波電界Ｅと前記試験信号の最大電圧差Ｖｂｐｐとの関係を示すグラフである。なお図５内の５本の近似グラフＬ１〜Ｌ５は、前記試験信号の最大電圧差Ｖｂｐｐに対する８．０ｉｎｃｈ，１３．３ｉｎｃｈ，１５．０ｉｎｃｈ，１８．０ｉｎｃｈ，２１．０ｉｎｃｈの各実パネルの漏洩低周波電界Ｅを示すグラフに相当する。各実パネルの近似グラフＬ１〜Ｌ５は、表３に示す該各実パネルの測定された漏洩低周波電界と、前記試験信号の最大電圧差Ｖｂｐｐとをパラメータとして、最小二乗法を用いて求められた。図５の近似グラフＬ１〜Ｌ５は、以下の式３〜７によって定義される。「Ｅ」は漏洩低周波電界であり単位は［Ｖ／ｍ］、「Ｖｂｐｐ」は試験信号の最大電圧差であり単位は［Ｖ］である。
【００７８】
Ｌ１：Ｅ＝０．２５１８×Ｖｂｐｐ−０．０４２３          …（３）
Ｌ２：Ｅ＝０．５５９×Ｖｂｐｐ−０．１３９              …（４）
Ｌ３：Ｅ＝０．６５７×Ｖｂｐｐ−０．１６９              …（５）
Ｌ４：Ｅ＝０．８２３×Ｖｂｐｐ−０．２１３              …（６）
Ｌ５：Ｅ＝１．００６×Ｖｂｐｐ−０．２８                …（７）
また表３の右端の１列は、前記測定結果から推測される前記各５種類の模擬パネルの漏洩低周波電界Ｅが１Ｖ／ｍになる場合の最大電圧差Ｖｂｐｐ（以後「境界電圧差」と称することがある）を示す。各模擬パネルの境界電圧差は、図５の各模擬パネルの近似グラフＬ１〜Ｌ５と、ＴＣＯ規格のバンドＩＩの漏洩低周波電界の基準値、すなわち１．０Ｖ／ｍを示す基準線Ｌ６との交点における該各近似グラフＬ１〜Ｌ５上の漏洩低周波電界に相当し、図５のグラフに基づき求められた。
図６は、前記５種類の実パネルのパネル面積と、該５種類の実パネルの境界最大電圧差Ｖｂｐｐとの対応関係を示すグラフである。なお図６内の近似グラフＬ７は、パネル面積ｘの変化に対する境界電圧差の変化を示すグラフに相当する。図６の近似グラフＬ７は、表３に示す前記各実パネルのパネル面積と、該各実パネルの境界電圧差とをパラメータとして、最小二乗法を用いて求められた。この結果図６の近似グラフＬ７は、以下の式８によって定義される。式８において、「ｘ」はパネル面積であり単位は［ｍ2 ］、「Ｖｌｉｍ」は境界電圧差であり単位は［Ｖ］である。
【００７９】
Ｌ７：Ｖｌｉｍ＝０．３５７８×ｘ-0.6156                 …（８）
前述したように、現行構造のパネル部１からの漏洩低周波電界の主要因は共通電極２４に供給される電気信号であり、該共通電極２４の面積が大きいほど該漏洩低周波電界が増大することが分かっている。図５に基づき、或るパネル部１の共通電極２４に与えられる基準信号の最大電圧差Ｖｂｐｐが小さいほど、該パネル部の漏洩低周波電界Ｅが小さくなることが分かる。ゆえにパネル部１が現行構造のものであり該パネル１のパネル面積ｘが決定されたならば、該パネル面積ｘと式８とによって、該パネル部１の漏洩低周波電界がＴＣＯ規格のバンドＩＩの上限基準値と一致する場合の基準信号の最大電圧差Ｖｂｐｐが規定される。この結果、前記基準信号の最大電圧差Ｖｂｐｐが前記場合に規定される最大電圧差Ｖｂｐｐ以下であるならば、パネル部１からの漏洩低周波電界はＴＣＯ規格のバンドＩＩの上限基準値以下に確実に抑制される。ゆえに前記基準信号の最大電圧差Ｖｂｐｐの上限電圧差ＶＭＡＸ１は、式１で規定されるのである。以上が第１実験の説明である。
【００８０】
このように、前記基準信号の最大電圧差Ｖｂｐｐが、式１，２によって規定される許容範囲内の値である場合、本発明の現行構造のパネル部１からの漏洩低周波電界が、ＴＣＯ規格の規定範囲内に確実に収まる。また上述した本実施の形態のパネル部１の構造は、従来技術の現行構造のパネル部と等しい。これらの結果本実施の形態の液晶表示装置は、前記基準信号の最大電圧差Ｖｂｐｐを調整するだけで、パネル部１の構造を変えることなく、パネル部１からの漏洩低周波電界を前記ＴＣＯ規格の規定範囲内に確実に抑制することができる。また前記基準信号の最大電圧差の上限電圧差ＶＭＡＸ１はパネル面積ｘをパラメータとして規定されるので、前記液晶表示装置は、該装置内のパネル部１の大きさおよび該装置内の共通信号の面積に拘わらず、漏洩低周波電界をＴＣＯ規格の上限基準値以下に常に低減させることができる。
【００８１】
またパネル部１の構造は従来技術の現行構造のパネル部と等しいので、従来技術のパネル部の構造および製造工程と比較して、漏洩低周波電界の抑制のためにパネル部１の構造および該パネル部１の製造工程を変える必要がない。この結果本実施の形態の液晶表示装置は、パネル部１からの漏洩低周波電界を極めて容易に抑制することができる。またパネル部の構造および製造工程が漏洩低周波電界の低減処置のために変更されていないので、該処置に起因するパネル部の製造コストの増加、該処置に起因するパネル部１の透過率の低下、該処置に起因するパネル部１の歩留りの悪化が、防止される。
【００８２】
また本実施の形態の液晶表示装置の駆動部は、パネル部１をライン反転駆動方式に基づいて駆動することが好ましい。これは以下の理由からである。ライン反転駆動方式用の駆動部の構成は、一般的に、ドット反転駆動方式用の駆動部よりも簡単であり、かつライン反転駆動用の駆動部の製造コストは、ドット反転駆動方式用の駆動部よりも安い。ゆえにパネル部１がライン反転駆動方式に基づいて駆動される場合、前記液晶表示装置の製造コストが、ドット反転駆動方式が用いられた液晶表示装置よりも低減される。ゆえにライン反転駆動方式が用いられることが好ましいのである。
【００８４】
図７は、本発明の第２の実施の形態である液晶表示装置内のパネル部３１の概略構造を示す斜視図である。第２の実施の形態の液晶表示装置（以後「第２液晶表示装置」と称することがある）の構成は、第１の実施の形態の液晶表示装置（以後「第１液晶表示装置」と称することがある）と比較して、以下に説明する点だけが異なり、他は等しい。なお前記第２液晶表示装置内の部品のうち、前記第１液晶表示装置内の部品と等しいものは、該第１液晶表示装置内の部品と同じ参照符を用いて示し、詳細な説明は省略することがある。
【００８５】
前記第２液晶表示装置は、パネル部３１の他に、表示のための電気信号をパネル部３１に供給するための駆動部をさらに含む。パネル部３１は、基本的には少なくとも１つの画素３を含み、本実施の形態では複数の画素３を含む。本実施の形態のパネル部３１は、スイッチング素子として３端子能動素子を用いたアクティブマトリクス型のパネル部であり、対向ソース構造になっている。なお本実施の形態では３端子能動素子としてＴＦＴが用いられる。
【００８６】
パネル部３１は、概略的には、主基板部３３と対向基板部３４と液晶部とに区分される。主基板部３３は、少なくとも１本の走査信号線１３、主基板１１、全画素３の画素電極５、該全画素電極５と同数のＴＦＴ１５、少なくとも１本の基準信号線１７、および１枚の配向膜を含む。対向基板部３４は、全画素３の対向電極６、少なくとも１本の階調信号線１４、対向基板１２、および１枚の配向膜を含む。本実施の形態では、走査信号線１３および階調信号線１４はそれぞれ複数本あり、基準信号線１７は１本である。前記液晶部は、全画素３内の液晶層が一体化された平板状のものであり、主基板部３３と対向基板部３４との間に配置される。なお図７において、対向基板部３４の一部分が切欠かれており、かつ液晶部および両基板部３３，３４の配向膜が省略されている。パネル部３１は、対向基板部３４の前記液晶部と反対側、すなわち対向基板１１の他方面を、表示面２１として用いる。
【００８７】
全走査信号線１３、全画素電極５、全ＴＦＴ１５、および基準信号線１７は、主基板１１の一方面１９上に、以下のように配置される。全走査信号線１３、全画素電極５、および全ＴＦＴ１５の配列は、第１の実施の形態と等しい。基準信号線１７は、画素電極５の行数と同数の直線状の第１部分３５と該直線状の部分を相互に接続する第２部分３６とを含み、各第１部分３５は各走査信号線１３の隣に、該各走査信号線１３と平行に並べられる。各ＴＦＴ１５のドレイン端子は該ＴＦＴ近傍の各画素電極５にそれぞれ接続され、該各ＴＦＴ１５のゲート端子は該画素電極５近傍のいずれかの走査信号線１３に接続され、該各ＴＦＴ１５のソース端子は基準信号線１７に接続される。
【００８８】
全対向電極６および全階調信号線１４は、対向基板１２の一方面２０上に、以下のように配置される。全対向電極６は、第１の実施の形態と同様に、行列状に並べられる。複数本の各階調信号線１４は、対向電極６の各列の隣に、該列と平行に並べられる。各階調信号線１４は、該信号線の隣の列内の全対向電極６に、それぞれ電気的に接続される。階調信号線１４は、走査信号線１３および基準信号線１７から見て、ねじれの位置にある。
【００８９】
本実施の形態では、各階調信号線１４と該信号線１４に接続される対向電極６とが一体化されて、階調信号線１４と同数の列電極３７になっている。各列電極３７は、帯状の導電体の膜片である。この結果対向基板１２の一方面２０上には、実際には、全列電極３７が、その長手方向を階調信号線１４の長手方向と平行にし、かつ相互に間隔を空けて、並ぶ。各列電極３７内の各画素電極５に対向する部分が、該各画素電極５を含む画素内の対向電極６に相当する。各列電極３７内の前記部分を「対向電極６」と称することがある。列電極３７は、走査信号線１３および基準信号線１７から見て、ねじれの位置にある。
【００９０】
主基板部３３および対向基板部３４の配向膜は、第１の実施の形態の主基板部および対向基板部の配向膜と等しい。また前記液晶部がネマティック液晶で形成され、かつパネル部１がＴＮ型またはＳＴＮ型である場合、パネル部３１は２枚の偏向板をさらに備える。前記２枚の偏向板の配置は、第１の実施の形態の２枚の偏向板の配置と等しい。さらに前記液晶表示装置がカラー画像を表示可能である場合、主基板１１または対向基板１２上に、カラーフィルタがさらに設けられる。さらにまた主基板部３３は、画素３の数と同数の付加容量部１８をさらに含んでもよい。主基板１１、対向基板１２、画素電極５、対向電極６、３種類の各信号線１３，１４，１７、ＴＦＴ１５、および２枚の配向膜の光学的性質は、第１の実施の形態と等しい。また対向電極６と階調信号線１４とが一体化されているならば、列電極３７は、パネル部３１が反射型および透過型のどちらであっても透光性を有する。パネル３１が透過型および反射型である場合、光源および反射板の配置は、第１の実施の形態と等しい。以上が対向ソース構造のパネル部３１の構造説明である。
【００９１】
本実施の形態の液晶表示装置内の駆動部の概略的な動作は、以下のとおりである。前記駆動部は、各ＴＦＴ１５の駆動制御のための走査信号を、各走査信号線１３を介して該各ＴＦＴ１５に供給する。この結果各ＴＦＴ１５は、前記走査信号によって規定される期間だけ駆動状態になる。前記走査信号は、概略的には脈動信号であり、かつ該信号の電圧の変化パターンは予め定められている。また前記駆動部は、予め定める基準信号を、基準信号線１７に常に供給する。前記駆動部がライン反転駆動を行う場合、前記基準信号は脈動信号であり、かつ該信号の電圧の変化パターンは、予め定められている。前記駆動部がドット反転駆動を行う場合、前記基準信号は定常信号である。この結果任意のＴＦＴ１５が駆動状態である間、該ＴＦＴに接続された画素電極５に前記基準信号が供給される。
【００９２】
さらに前記駆動部は、前記任意のＴＦＴが駆動状態である間、該ＴＦＴに接続された画素電極５と対向する列電極３７に、該画素の表示状態を定めるための階調信号を供給する。前記階調信号は脈動信号であり、かつ該信号の電圧の変化パターンは、画素の表示状態に応じて設定される。この結果前記任意のＴＦＴ１５に接続された画素電極５と、該画素電極５と対向する列電極３７との間の表示電圧が、該画素電極５を含む画素３がとるべき表示状態に応じた電圧に規定される。前記表示電圧は、設定後、画素電極５に接続されたＴＦＴ１５が休止状態である間、保持される。以上の結果画素電極５と列電極３７内の対向電極６との間の電圧に応じて、該電極５，６間の液晶の状態が決定される。以上が駆動部の概略動作説明である。
【００９３】
図８は、パネル部１に与えられる３種類の信号の波形図である。図８（Ａ）に示す走査信号は、図３（Ｃ）に示す第１の実施の形態の走査信号と等しい。図８（Ｂ）に示すライン反転駆動時の基準信号は、図３（Ａ）に示す第１の実施の形態のライン反転駆動時の基準信号と比較して、最大電圧差Ｖｂｐｐが第１の実施の形態で説明した許容範囲内の値であってもよく、または該許容範囲外の値であってもよい点が異なり、他は等しい。図８（Ｃ）に示す階調信号は、図３（Ｄ）に示す第１の実施の形態の階調信号と比較して、最大電圧差Ｖｓｐｐが後述する許容範囲内の値である点だけが異なり、他は等しい。また第１の実施の形態で説明した理由に基づき、前記基準信号の位相は、階調信号の位相の逆位相になっていることが好ましい。
【００９４】
第１の実施の形態で説明したように、漏洩低周波電界の主要因はパネル部３１内の電気信号が与えられる全部品のうちの表示面２１に近いほうの部品に供給される電気信号であり、該部品の面積が大きいほど漏洩低周波電界が増大することが分かっている。第２の実施の形態の液晶表示装置において、前記表示面２１に近いほうの部品は列電極３７であり、該信号に与えられる電気信号は前記階調信号である。ゆえにパネル部３１からの漏洩低周波電界をＴＣＯ規格のバンドＩＩの許容範囲内に収めるために、前記階調信号の最大電圧差Ｖｓｐｐは、以下の式９〜式１１で規定される対向ソース構造の上限電圧差ＶＭＡＸ２以下であり、かつ該階調信号の前記最大電圧差Ｖｓｐｐとして許容される最小の電圧差以上の許容範囲内の値に設定される。
【００９５】
ＶＭＡＸ２＝ａ×ｘ-b                                    …（９）
ａ＝０．３５６５×ｙ-0.6829                         …（10）
ｂ＝−０．０９３７ｙ＋０．７０９１                  …（11）
前記階調信号の最大電圧差Ｖｓｐｐは、該階調信号が取得る最大電圧と該階調信号が取得る最小電圧との差分である。なお式９〜１１において、「ｘ」はパネル面積、すなわちパネル部３１の表示領域の面積であって単位は平方メートル［ｍ2 ］である。また式９〜式１１において、「ｙ」は、パネル面積ｘに対する、前記表示面２１に近いほうの部品の表示領域内の部分の面積の割合である。以後前記割合ｙを、「階調電極比率」と称する。前記最小の電圧差は、たとえば０Ｖに極めて近い値であり、この場合最大電圧差Ｖｓｐｐは、式１２に示すように、０Ｖより大きくかつ前記上限電圧差ＶＭＡＸ２以下である。
【００９６】
０＜Ｖｓｐｐ≦ＶＭＡＸ２                                …（12）
本実施の形態では対向電極６と階調信号線１４とが一体化されているので、前記表示面２１に近いほうの部品の面積は全列電極３４の面積である。対向電極６と階調信号線１４とが一体化されていない状況下では、前記部品の面積は、少なくとも全対向電極６の面積である。また前記状況下で、階調信号線１４の面積が漏洩低周波電界に影響を及ぼす程度に大きい場合、該全対向電極６の面積と全階調信号線１４の面積の総和を前記部品の面積とすることが好ましい。さらに前記状況下で対向基板１２上に階調信号が与えられる他の部品があり、該部品の面積が漏洩低周波電界に影響を及ぼす程度に大きい場合、上述の面積の総和に加えて該部品の面積を加えた値を、前記部品の面積とすることが好ましい。
【００９７】
第２の実施の形態の液晶表示装置の階調信号の最大電圧差Ｖｓｐｐの上限電圧差ＶＭＡＸ２は、以下の第２の実験に基づいて定められた。前記第２実験のために、第１の実施の形態で説明した５種類の現行構造の実パネル（以後「第１実パネル」と称することがある）およびその模擬パネルと、パネル面積ｘだけが相互に異なる２種類の対向ソース構造の実パネル（以後「第２実パネル」と称することがある）とが、用意された。前記第２実パネルの構造は、図７で説明した対向ソース構造のパネル部３１と等しく、該第２実パネルの階調面積比率は０．７であるとする。２種類の第２実パネルの表示領域の対角線の長さは、それぞれ１３．３ｉｎｃｈおよび１５．０ｉｎｃｈである。
【００９８】
またこれらパネルに入力するべき信号として、第１の実施の形態の実験で説明した５種類の試験信号（以後第１試験信号と称することがある）と、２種類の第２試験信号とが用意された。前記２種類の第２試験信号は、たとえば、液晶のダイナミックレンジが相互に異なる２種類の対向ソース構造のパネル部における黒表示画面時の階調信号に相当する。２種類の各第２試験信号の最大電圧差Ｖｓｐｐは，それぞれ５Ｖ，４．５Ｖである。また２種類の第２試験信号の周波数は、ＴＣＯ規格のバンドＩＩとして規定される周波数範囲、すなわち２ｋＨｚ以上４００ｋＨｚ以下であり、本実施の形態では約２５ｋＶであるとする。
【００９９】
【表４】
0003699850.tif 000005
【０１００】
表４は、１５．０ｉｎｃｈおよび１３．３ｉｎｃｈの第２実パネルに、最大電圧差Ｖｓｐｐが５Ｖの第２試験信号および最大電圧差Ｖｓｐｐが４．５Ｖの第２試験信号をそれぞれ入力した状態で測定された漏洩低周波電界と、第１の実施の形態の実験の１５．０ｉｎｃｈおよび１３．３ｉｎｃｈの模擬パネルの漏洩低周波電界の測定結果から推測された該状態の第２実パネルの漏洩低周波電界（以後「推測電界」と略称することがある）との関係を示す。或る第２試験信号が入力された状態における或る実パネルの推測電界は、該実パネルの模擬パネルに該第２試験信号と同じ最大電圧差の第１試験信号が入力された状態で測定された該模擬パネルの漏洩低周波電界と、該模擬パネルが模す実パネルの階調電極比率との積である。表４の結果に基づき、前記第２実パネルの推測電界は、該第２実パネルに該第２試験信号を実際に入力した状態の該第２実パネルの漏洩低周波電界に、実験データとして置換えが可能な程度に近似または一致することが分かる。ゆえに本実験では、表３に示す模擬パネルの測定された漏洩低周波電界に基づいて、該模擬パネルが模す第２実パネルの推測電界を求め、該推測電界を該第２実パネルの漏洩低周波電界として用いる。
【０１０１】
対向ソース構造のパネル部における黒表示画面時の階調信号を第２試験信号として用いるのは、以下の理由からである。本実験で用いられる模擬パネル内の前記試験信号が与えられる部品の形状は、現行構造のパネル部内の共通電極、すなわちいわゆる全面電極と等しい。ゆえに前記模擬パネルにＨ画面時の階調信号を入力することは困難である。また黒表示画面時およびＨ画面時の対向ソース構造の実パネルの漏洩低周波電界をそれぞれ測定した結果、黒表示画面時の該実パネルの漏洩低周波電界よりも、Ｈ画面時の該実パネルの漏洩低周波電界のほうが若干小さいことが分かっている。この結果、黒表示画面時の対向ソース構造の実パネルの漏洩低周波電界がＴＣＯ規格のバンドＩＩの規定範囲内に収まるならば、Ｈ画面時の該実パネルの漏洩低周波電界、すなわちスウェーデン規格SS436 14 90 IEEE1140-1994に基づいて測定された該実パネルの漏洩低周波電界は、該規定範囲内に必ず収まることが分かる。これらの理由に基づき、漏洩低周波電界が最も大きい状況下における対向ソース構造のパネル部の漏洩低周波電界が前記規定範囲に収まる条件を調べるために、前記第２試験信号を用いたのである。
【０１０２】
【表５】
0003699850.tif 000006
【０１０３】
表５は、第２実パネルの階調電極比率が０．７０であると仮定した場合、５種類の模擬パネルが模す５種類の第２実パネルの漏洩低周波電界を示す。前記第２実パネルの漏洩低周波電界は、実際には、表３内の該第２実パネルの模擬パネルの測定結果と該第２実パネルの階調電極比率との積、すなわち推測電界である。図９は、前記５種類の各第２実パネルの推測された漏洩低周波電界Ｅと前記第２試験信号の最大電圧差Ｖｓｐｐとの関係を示すグラフである。なお図９内の５本の近似グラフＬ１１〜Ｌ１７は、前記第２試験信号の最大電圧差Ｖｓｐｐに対する８．０ｉｎｃｈ，１３．３ｉｎｃｈ，１５．０ｉｎｃｈ，１８．０ｉｎｃｈ，２１．０ｉｎｃｈの各第２実パネルの推測電界を示すグラフに相当する。各第２実パネルの近似グラフＬ１１〜Ｌ１５は、表５に示す該各第２実パネルの推測電界と前記第２試験信号の最大電圧差Ｖｓｐｐとをパラメータとして、最小二乗法を用いて求められた。図９の近似グラフＬ１１〜Ｌ１５は、以下の式１３〜１７によって定義される。「Ｅ」は漏洩低周波電界であり単位は［Ｖ／ｍ］、「Ｖｓｐｐ」は最大電圧差であっての単位は［Ｖ］である。
【０１０４】
Ｌ１１：Ｅ＝０．１７６３×Ｖｓｐｐ−０．０２９６        …（13）
Ｌ１２：Ｅ＝０．３９１３×Ｖｓｐｐ−０．０９７３        …（14）
Ｌ１３：Ｅ＝０．４５９９×Ｖｓｐｐ−０．１１８３        …（15）
Ｌ１４：Ｅ＝０．５７６１×Ｖｓｐｐ−０．１４９１        …（16）
Ｌ１５：Ｅ＝０．７０４２×Ｖｓｐｐ−０．１９６          …（17）
また表５の右端の１列は、前記各５種類の第２実パネルの漏洩低周波電界Ｅが１Ｖ／ｍになる場合の最大電圧差Ｖｓｐｐ（以後「境界電圧差」と称することがある）を示す。各第２パネルの境界電圧差は、図９の各第２実パネルの近似グラフＬ１１〜Ｌ１５と、ＴＣＯ規格のバンドＩＩの漏洩低周波電界の基準値と示す基準線Ｌ７との交点における該各近似グラフＬ１１〜Ｌ１５上の漏洩低周波電界に相当し、図９のグラフに基づき求められた。図１０は、階調電極比率が０．７０でありかつ前記模擬パネルが模す第２実パネルのパネル面積ｘと、該第２実パネルの境界電圧差との対応関係を示すグラフである。なお図１０内の近似グラフＬ１７は、パネル面積の変化に対する境界最大電圧差Ｖｓｐｐの変化を示すグラフに相当する。図１０の近似グラフＬ１７は、表５に示す前記各第２実パネルのパネル面積と、該各第２実パネルの境界電圧差とをパラメータとして、最小二乗法を用いて求められた。図１０の近似グラフＬ１７は、以下の式１８によって定義される。「ｘ」はパネル面積であり単位は［ｍ2 ］、「Ｖｌｉｍ」は境界電圧差であり単位は［Ｖ］である。
【０１０５】
Ｌ１７：Ｖｌｉｍ＝０．４５３５×ｘ-0.6433               …（18）
【０１０６】
【表６】
0003699850.tif 000007
【０１０７】
【表７】
0003699850.tif 000008
【０１０８】
表６，７は、第２実パネルの階調電極比率が０．８０および０．６０であると仮定した場合、５種類の模擬パネルが模す５種類の第２実パネルの漏洩低周波電界を示す。前記表６，７の第２実パネルの漏洩低周波電界は、実際には、表３内の該第２実パネルの模擬パネルの測定結果と該第２実パネルの階調電極比率との積、すなわち推測電界である。また表６，７の右端の１列は、前記各５種類の第２実パネルの境界電圧差を示す。階調電極比率が上述のものである場合の境界電圧差の算出手法は、表５で説明した手法と等しい。
【０１０９】
図１１は、階調電極比率が１．００，０．８０，０．７０，０．６０である第２実パネルのパネル面積ｘと該各第２実パネルの境界電圧差との対応関係を示すグラフである。図１１内の近似グラフＬ７，Ｌ１７は、図６，図１０で示されるものであり、図１１内の近似グラフＬ１８，Ｌ１９は、階調電極比率が０．８０，０．６０の第２実パネルの前記対応関係を示す。なお図１１内の近似グラフＬ７，Ｌ１７〜Ｌ１９は、パネル面積の変化に対する境界電圧差の変化を示すグラフにそれぞれ相当する。近似グラフＬ１８，Ｌ１９の算出手法は、図１０の近似グラフＬ１７の算出手法と比較して、パラメータが表６，７のデータに変更されている点だけが異なり、他は等しい。図１１の近似グラフＬ７，Ｌ１７〜Ｌ１９は、以下の式８，１８〜２０によって定義される。「ｘ」はパネル面積であり単位は［ｍ2 ］、「Ｖｌｉｍ」は境界電圧差であり単位は［Ｖ］である。
Ｌ  ７：Ｖｌｉｍ＝０．３５７８×ｘ-0.6156               …（８）
Ｌ１８：Ｖｌｉｍ＝０．４１３１×ｘ-0.6341               …（19）
Ｌ１７：Ｖｌｉｍ＝０．４５３５×ｘ-0.6433               …（18）
Ｌ１９：Ｖｌｉｍ＝０．５０７４×ｘ-0.6532               …（20）
表５〜７および図９〜図１１に基づき、第２実パネル、すなわち対向ソース構造のパネル部３１の漏洩低周波電界は、パネル面積ｘと階調電極比率ｙと階調信号の最大電圧差Ｖｓｐｐによって規定されることが分かる。すなわちパネル面積ｘおよび階調電極比率ｙが定められているならば、漏洩低周波電界Ｅは階調信号の最大電圧差Ｖｓｐｐに比例して増加する。階調電極比率ｙおよび階調信号の最大電圧差Ｖｓｐｐが定められているならば、パネル面積ｘが増加するほど漏洩低周波電界Ｅが大きくなる。またパネル面積ｘが定められているならば、階調電極比率ｙが増加するほど、境界電圧差が小さくなる。この結果対向ソース構造のパネル部における境界電圧差とパネル面積ｘとの対応関係は、パネル部３１の階調電極比率ｙに応じて変化することが分かる。
【０１１０】
【表８】
0003699850.tif 000009
【０１１１】
表８は、図１１に示す対向ソース構造のパネル部における境界電圧差とパネル面積ｘとの対応関係を示すグラフの式が式２１に示す指数関数であると定義した場合における該式の定数ａおよび乗数ｂと、パネル部の階調電極比率ｙとの関係を示す。すなわち前記グラフの式は、前述の式８，１８〜２０である。図１２は、前記場合における定数ａおよび乗数ｂの階調電極比率ｙの依存性を示すグラフである。なお図１２内の近似グラフＬ２１，Ｌ２２は、階調電極比率ｙの変化に対する前記式の定数ａおよび該式の乗数ｂの変化を示すグラフに相当する。図１２の近似グラフＬ２１，Ｌ２２は、表８に示す前記各第２実パネルの階調電極比率ｙと、該各第２実パネルの前記式の定数ａおよび乗数ｙをパラメータとして、最小二乗法を用いて求められた。図１２の近似グラフＬ２１，Ｌ２２は、以下の式２２，２３によって定義される。
【０１１２】
Ｖｌｉｍ＝ａ×ｘ-b                                      …（21）
Ｌ２１：ａ＝０．３５６５×ｙ-0.6829                     …（22）
Ｌ２２：ｂ＝−０．０９３７ｙ＋０．７０９１              …（23）
前述したように、対向ソース構造のパネル部３１からの漏洩低周波電界の主要因は階調信号であり、全列電極３７の面積が大きいほど漏洩低周波電界が増大することが分かっている。またパネル面積ｘと階調電極比率ｙとが規定されている場合、階調信号の最大電圧差Ｖｓｐｐが小さいほど、該パネル部の漏洩低周波電界が小さくなることが分かっている。ゆえにパネル部３１が対向ソース構造のものであり該パネル３１のパネル面積ｘおよび階調電極比率ｙが決定されたならば、該パネル面積ｘおよび比率ｙと式２１〜２３とによって、該パネル部３１の漏洩低周波電界がＴＣＯ規格のバンドＩＩの基準値となる場合の最大電圧差Ｖｓｐｐが規定される。この結果、パネル部３１の列電極３７に供給される階調信号の最大電圧差Ｖｓｐｐが規定された前記場合の最大電圧差Ｖｓｐｐ以下であるならば、該パネル部３１からの漏洩低周波電界はＴＣＯ規格のバンドＩＩの基準値以下に確実に抑制される。ゆえに前記階調信号の最大電圧差Ｖｂｐｐの上限電圧差ＶＭＡＸ２は、式９〜１２で規定されるのである。以上が実験説明である。
【０１１３】
図７で説明したように、対向ソース構造のパネル部３１は、主基板１１の一方面１９上に配置される２種類の信号線、すなわち走査信号線１３と基準信号線１７とが、該一方面上で相互に交差しないので、現行構造のパネル部よりも主基板部３３の構造が簡単になる。また上記２種類の信号線１３，１７が配置される基板と階調信号線１４が配置される基板とが相互に異なるので、該２種類の信号線１３，１７の形成工程と、階調信号線１４，すなわち列電極３７の形成工程とが、それぞれ独立した工程になり、かつこれら２つの形成工程が連続して行われない。この結果これら信号線１３，１４，１７の断線不良の発生回数が、現行構造のパネル部におけるこれら信号線１３，１４，１７の断線不良の発生回数よりも、格段に減少する。この結果対向ソース構造のパネル部３１の製造コストが現行構造のパネル部よりも低減され、かつパネル部の製造後の信頼性が向上する。
【０１１４】
また図７の対向ソース構造のパネル部３１は、パネル部３１の２つの基板部のうちの表示面２１に近いほうの基板部内の電気信号が供給される部品の面積の総和が、図１の現行構造のパネル部１内の該部品の面積の総和よりも狭い。すなわち図７の対向ソース構造のパネル部３１内の全列電極３７の面積の総和が、図１の現行構造のパネル部１の共通電極２４の面積よりも狭い。前述したように、パネル部内の前記表示面２１に近いほうの基板部内の電気信号が与えられる部品の面積が大きいほど、該パネル部からの漏洩低周波電磁界が増加する。これらの理由に基づき、たとえば図７の対向ソース構造のパネル部３１の漏洩低周波電界は、図１の現行構造のパネル部１の漏洩低周波電界の６０％以上８０％以下に、低減されている。
【０１１５】
また上述したように、前記階調信号の最大電圧差Ｖｓｐｐが、式９〜式１２によって規定される許容範囲内の値である場合、本実施の形態の対向ソース構造のパネル部３１からの漏洩低周波電界が、ＴＣＯ規格の基準範囲内に確実に収まる。上述した本実施の形態のパネル部３１の構造は、従来技術の対向ソース構造のパネル部と等しい。ゆえに本実施の形態の液晶表示装置は、前記階調信号の最大電圧差Ｖｓｐｐを調整するだけで、パネル３１の構造を変えることなく、パネル部３１からの漏洩低周波電界を、前記ＴＣＯ規格の漏洩低周波電界の基準値以下に確実に抑制することができる。また階調信号の最大電圧差の上限電圧差ＶＭＡＸ２は、パネル面積ｘと階調電極比率ｙとをパラメータにしているので、パネル部３１の大きさおよび列電極３７の形状の変化に拘わらず、常に容易に上限電極ＶＭＡＸ２を得ることができるため、階調信号の調整が容易である。
【０１１６】
またパネル部３１の構造が従来技術の対向ソース構造のパネル部と等しいので、従来技術のパネル部の構造および製造工程と比較して、漏洩低周波電界の抑制のためにパネル部３１の構造および該パネル部３１の製造工程を変える必要がない。ゆえに第２の実施の形態の液晶表示装置は、第１液晶表示装置と同じ理由に基づき、パネル部３１からの漏洩低周波電界を極めて容易に抑制することができ、かつ、漏洩低周波電界の低減処置に起因する製造コストの増加、パネル部１の透過率の低下、および歩留りの悪化が、防止される。
【０１１７】
本発明の前提となる液晶表示装置（以後「第３液晶表示装置」と称することがある）について、以下に説明する。第３液晶表示装置の構成は、第２の実施の形態の液晶表示装置（以後「第２液晶表示装置」と称することがある）と比較して、以下に説明する点だけが異なり、他は等しい。なお前記第３液晶表示装置内の部品のうち、前記第２液晶表示装置内の部品と等しいものは、該第１液晶表示装置内の部品と同じ参照符を用いて示し、詳細な説明は省略することがある。
【０１１８】
前記第３液晶表示装置は、対向ソース構造のパネル部と駆動部とを含む。第３液晶表示装置のパネル部の構成は、第２液晶表示装置のパネル部３１の構成と比較して、該パネル内の液晶のダイナミックレンジＶｄｙｎが後述の許容範囲内になるように設計されている点が異なり、他は等しい。第３液晶表示装置の駆動部の挙動は、第２液晶表示装置の駆動部の挙動と比較して、階調信号の最大電圧差Ｖｓｐｐが上述の液晶のダイナミックレンジＶｄｙｎに基づいて設定されている点が異なり、他は等しい。
【０１１９】
第３液晶表示装置のパネル部の液晶のダイナミックレンジＶｄｙｎは、該パネル部からの漏洩低周波電界をＴＣＯ規格のバンドＩＩの許容範囲内に収めるために、以下の式２４〜式２６で規定される対向ソース構造の上限電圧差ＶＭＡＸ３以下であり、かつ該ダイナミックレンジＶｄｙｎとして許容される最小の電圧差以上に設定される。前記最小の電圧差は、たとえば、０Ｖに極めて近くかつ０Ｖよりも大きい値である。ゆえに液晶のダイナミックレンジＶｄｙｎの許容範囲は、式２７で示すように、上限電圧差ＶＭＡＸ３以下であり、かつ０Ｖよりも大きい。液晶のダイナミックレンジＶｄｙｎの上限電圧差ＶＭＡＸ３の規定式２４〜２６は、第２の実施の形態で説明した階調信号の最大電圧差Ｖｓｐｐの上限電圧差ＶＭＡＸ２の規定式９〜１１で規定されると同じ考え方で求められる。
【０１２０】
ＶＭＡＸ３＝ａ×ｘ-b                                    …（24）
ａ＝０．３５６５×ｙ-0.6829                         …（25）
ｂ＝−０．０９３７ｙ＋０．７０９１                  …（26）
０＜Ｖｄｙｎ≦ＶＭＡＸ３                                …（27）
前記階調信号の最大電圧差Ｖｓｐｐの代わりにパネル部３１の液晶のダイナミックレンジＶｄｙｎを式２４〜式２７に示すように制限するのは、以下の理由からである。前記階調信号の最大電圧差Ｖｓｐｐは、前記液晶のダイナミックレンジＶｄｙｎに依存する値である。液晶のダイナミックレンジＶｄｙｎは、黒表示電圧値と白表示電圧値との差分である。黒表示および白表示電圧値は、任意の画素が黒表示状態および白表示状態である場合の画素の表示電圧であり、黒表示状態の画素の透過率は０％であり、白表示状態の画素の透過率は１００％である。前記黒表示電圧値は、前記液晶表示装置の画素の透過率−電圧特性に基づき、画素の透過率が確実に０％になる電圧値に選ばれ、前記白表示電圧値は、該特性に基づき、画素の透過率が確実に１００％になる電圧値に選ばれる。画素の透過率−電圧特性は、画素の構成および画素内の液晶の構成に基づいて決定される。
【０１２１】
図１３は、本発明の前提となる液晶表示装置がいわゆるノーマリホワイト（Normaly White）表示の場合における、該装置内のパネル部内の画素の透過率−電圧特性を示すグラフである。前記画素の透過率−電圧特性は、前記パネル部内の該画素の表示電圧と、該画素内の液晶層の透過率との関係を示すものである。前記画素の表示電圧は、該画素内の画素電極５と該画素電極に対向する列電極３７の対向電極６との間の電圧である。前記場合、画素の表示電圧が０Ｖ以上でかつ予め定める第１の閾電圧未満の第１電圧範囲内の値である間、画素の透過率は該表示電圧に拘わらずほぼ１００％である。前記場合、前記第１の閾電圧以上でかつ予め定める第２の閾電圧未満の第２電圧範囲において、画素の表示電圧が増加するほど画素の透過率は減少する。さらに前記場合、画素の表示電圧が前記第２の閾電圧以上の第３電圧範囲内の値であるならば、画素の透過率は該表示電圧に拘わらずほぼ０％である。
【０１２２】
ゆえに前記場合、黒表示電圧値は前記第１電圧範囲内の値に設定され、白表示電圧値は前記第３電圧範囲内の値に設定される。この結果前記液晶表示装置がノーマリホワイト表示の場合、黒表示電圧値は白表示電圧値よりも高い。このように設定された黒表示電圧値および白表示電圧値の差分が、液晶のダイナミックレンジである。前記液晶表示装置がいわゆるノーマリブラック表示の場合、液晶のダイナミックレンジＶｄｙｎは、該装置がノーマリブラック表示の場合のパネル部内の画素の透過率−電圧特性に基づき、該装置がノーマリホワイト表示の場合と同じ考え方に従って決定される。
【０１２３】
任意の画素３の表示電圧は、前記階調信号の電圧と前記基準信号の電圧との差差分である。ゆえに前記基準信号が予め定められているならば、前記階調信号の任意の時点の電圧は、前記任意の画素３が該時点で取るべき透過率と、該時点の該基準信号の電圧と、前記液晶のダイナミックレンジとに基づき、該階調信号の該時点の電圧と該基準信号の該時点の電圧との差分が、該透過率と前記液晶のダイナミックレンジとによって規定される表示電圧になるように、設定される。ゆえに液晶のダイナミックレンジＶｄｙｎが小さいほど、前記階調信号の最大電圧差Ｖｓｐｐが小さくなる。ゆえに液晶のダイナミックレンジが前記式２４〜２７で規定される許容範囲内の値であれば、前記階調信号の最大電圧差Ｖｓｐｐも該許容範囲内の値になる。ゆえに前記液晶のダイナミックレンジが上述の範囲の値であることが好ましいのである。
【０１２４】
図１４は、本発明の第３の実施の形態である液晶表示装置内のパネル部４１の概略構造を示す斜視図である。図１５は、図１４のパネル部４１の具体的構造を示す斜視図である。図１４と図１５とを合わせて説明する。第３の実施の形態の液晶表示装置（以後「第４液晶表示装置」と称することがある）の構成は、第２の実施の形態の液晶表示装置（以後「第２液晶表示装置」と称することがある）と比較して、以下に説明する点だけが異なり、他は等しい。なお前記第４液晶表示装置内の部品のうち、前記第２液晶表示装置内の部品と等しいものは、該第２液晶表示装置内の部品と同じ参照符を用いて示し、詳細な説明は省略することがある。
【０１２５】
パネル部４１は、基本的には少なくとも１つの画素３を含み、本実施の形態では複数の画素３を含むものとする。本実施の形態のパネル部４１は、スイッチング素子として３端子能動素子を用いたアクティブマトリクス型のパネル部であり、対向ソース構造になっている。なお本実施の形態では３端子能動素子としてＴＦＴが用いられる。パネル部４１は、概略的には、主基板部３３と対向基板部４２と液晶部とに区分される主基板部３３と前記液晶部とは、第２液晶表示装置の主基板部３３および液晶部と等しい。なお図１４，１５において、対向基板部４２の一部分が切欠かれており、かつ液晶部および両基板部３３，４２の配向膜が省略されている。
【０１２６】
対向基板部４２は、基本的には、全画素３の対向電極６、少なくとも１本の階調信号線１４、対向基板１２、および配向膜を含む。本実施の形態では、階調信号線１４は複数あるとする。全対向電極６および全階調信号線１４は、対向基板１２の一方面２０上に、第２の実施の形態と同様に配置される。対向基板部４２の配向膜は、第１の実施の形態の対向基板部の配向膜と等しい。また各階調信号線１４と該信号線１４に接続される対向電極６とが一体化されて、階調信号線１４と同数の列電極４４になっている。全列電極４４の配列は、第２の実施の形態の列電極３７の配列と等しい。各列電極４４内の各画素電極５に対向する部分が、該各画素電極５を含む画素内の対向電極６に相当する。各列電極３７内の前記部分を「対向電極６」と称することがある。列電極４４は、走査信号線１３および基準信号線１７から見て、ねじれの位置にある。
【０１２７】
各列電極４４は、略帯状の導電体の薄膜片である。列電極４４内の前記液晶部を介して走査信号線１３の一部分と対向する部分（以後「走査線対向部」と称することがある）４７、および列電極４４内の前記液晶層を介して基準信号線１７の一部分と対向する部分（以後「基準線対向部」と称することがある）４８のうちの少なくとも一方部分の単位長さ当たりの平均面積は、該列電極４４内の該一方部分以外の残余の部分の単位長さ当たりの平均面積よりも、小さい。列電極４４の具体的形状は、後述する。
【０１２８】
また前記液晶部がネマティック液晶で形成され、かつパネル部１がＴＮ型またはＳＴＮ型である場合、パネル部３１は２枚の偏向板をさらに備える。前記２枚の偏向板の配置は、第１の実施の形態の２枚の偏向板の配置と等しい。さらに前記液晶表示装置がカラー画像を表示可能である場合、主基板１１または対向基板１２上に、カラーフィルタがさらに設けられる。さらにまた主基板部３３は、画素３の数と同数の付加容量部１８をさらに含んでもよい。主基板１１、対向基板１２、画素電極５、対向電極６、３種類の各信号線１３，１４，１７、ＴＦＴ１５、および２枚の配向膜の光学的性質は、第１の実施の形態と等しい。また対向電極６と階調信号線１４とが一体化されているならば、列電極４４は、パネル部３１が反射型および透過型のどちらであっても透光性を有する。パネル３１が透過型および反射型である場合、光源および反射板の配置は、第１の実施の形態と等しい。以上が対向ソース構造のパネル部４１の構造説明である。
【０１２９】
列電極４４の具体的な構造を、以下に説明する。前述したように、列電極４４内の前記走査線対向部４７および基準線対向部４８のうちの少なくとも一方部分の単位長さ当たりの平均面積は、該列電極４４内の該一方部分以外の残余の部分の単位長さ当たりの平均面積、たとえば該列電極４４内の対向電極６の単位長さ当たりの平均面積よりも、小さい。このために列電極４４は、該列電極内の対向電極６と同じ幅の帯状の導電性の膜片から、該膜片内の走査信号線１３と対向する位置および該膜片内の基準信号線１７の一部分と対向する位置のうちの少なくとも一方にある部分が除去された形状になっている。列電極４４内の除去された部分を、欠落部４９と称することがある。列電極４４に欠落部４９が設けられる場合、列電極４４の面積は、従来技術の対向ソース構造のパネル部、すなわち列電極が帯状で欠落部４９のないパネル部内の列電極の面積よりも、減少している。この結果本実施の形態のパネル部４１は、漏洩低周波電界を、従来技術の対向ソース構造のパネル部よりも低減することができる。
【０１３０】
列電極４４は、欠落部４９が、少なくとも基準線対向部４８に設けられていることが好ましい。図１６〜図１８は、本発明の前提となる構成を示し、列電極４４内の基準線対向部４８の単位長さ当たりの平均面積だけが該列電極４４内の前記残余の部分の単位長さ当たりの平均面積よりも小さい場合、列電極４４の具体的な構造を説明するためのパネル部４１の拡大部分平面図である。なお図１６〜図１８は、パネル部４１内の隣合う２つの画素を拡大して示すものであり、かつ前記液晶部、主基板１１、対向基板１２，および偏向板は省略している。前記場合、列電極４４は、たとえば図１６，１７に示すように、基準線対向部４８でくびれた構造であってもよく、図１８に示すように、該基準線対向部４８に穴があいている構造でもよい。基準線対向部４８がくびれている場合、具体的には、図１６に示すように、基準線対向部４８内の該列電極の幅方向の一方端部が切欠かれていてもよく、図１７に示すように、基準線対向部４８内の該列電極の幅方向の両端部がそれぞれ切欠かれていてもよい。
【０１３１】
列電極４４が図１６〜図１８の構造である場合、本実施の形態のパネル部４１内の基準信号線１７と対向する電気的遮蔽物が、従来技術の対向ソース構造のパネル部よりも減少している。この結果本実施の形態のパネル部４１における基準信号線１７に与えられる基準信号に起因する低周波電界のキャンセル効果が、従来技術の対向ソース構造のパネル部における基準信号の低周波電界のキャンセル効果よりも、増大する。これによって本実施の形態のパネル部４１の漏洩低周波電界は、従来技術の対向ソース構造のパネル部を含む液晶表示装置の漏洩低周波電界よりも、さらに低減する。
【０１３２】
さらにまた列電極４４が図１６〜図１８の構造である場合、本実施の形態のパネル部４１の列電極４４の基準線対向部４８の面積が、従来技術の対向ソース構造のパネル部の基準線対向部の面積よりも減少している。この結果本実施の形態のパネル部４１内の基準線交差部のクロス容量が、従来技術の対向ソース構造のパネル部内の基準線交差部のクロス容量よりも、減少する。基準線交差部とは、パネル部内の基準信号線１７と列電極４４とが前記液晶部を介して対向している部分を指す。前記クロス容量は、列電極４４および基準信号線１７の両方に影響する容量であり、列電極４４および基準信号線１７に与えられる信号の遅延の原因になる。本実施の形態のパネル部４１は、前記クロス容量が減少されているので、前記階調信号および基準信号の信号遅延を、従来技術の対向ソース構造のパネル部よりも低減させることができる。これによって本実施の形態の液晶表示装置は、従来技術の対向ソース構造のパネル部を含む液晶表示装置よりも、表示品位を向上させることができる。
【０１３３】
図１９〜図２１は、列電極４４内の走査線対向部４７および基準線対向部４８の単位長さ当たりの平均面積が該列電極４４内の前記残余の部分の単位長さ当たりの平均面積よりも小さい場合、列電極４４の具体的な構造を説明するためのパネル部４１の拡大部分平面図である。なお図１９〜図２１は、パネル部４１内の隣合う２つの画素を拡大して示すものであり、かつ前記液晶部、前記主基板、対向基板３８，および偏向板は省略している。前記場合、列電極４４は、たとえば図１９，２０に示すように、前記２つの対向部４７，４８でくびれた構造であってもよく、図２１に示すように、該２つの対向部４７，４８に孔があいている構造でもよい。前記２つの対向部４７，４８がくびれている場合、具体的には、図１９に示すように、該対向部４７，４８内の該列電極の幅方向の一方端部が切欠かれていてもよく、図２０に示すように、該対向部４７，４８内の該列電極の幅方向の両端部がそれぞれ切欠かれていてもよい。
【０１３４】
このように走査線対向部４７および基準線対向部４８の両方に欠落部４９が設けられる場合、列電極の面積は図１６〜図１８の構造の列電極よりもさらに減少する。この結果列電極４４が図１９〜図２１の構造である場合、本実施の形態のパネル部４１の漏洩低周波電界を、さらに低減させることができる。また前記場合、本実施の形態のパネル部４１内の基準線交差部のクロス容量だけでなく、該パネル部４１内の走査線交差部のクロス容量が、従来技術の対向ソース構造のパネル部内の走査線交差部のクロス容量よりも、減少する。走査線交差部とは、パネル部内の走査信号線１３と列電極４４とが前記液晶部を介して対向している部分を指す。この結果本実施の形態のパネル部４１は、前記階調信号および基準信号だけでなく走査信号の信号遅延を、従来技術の対向ソース構造のパネル部よりも低減させることができる。これによって前記場合、本実施の形態の液晶表示装置の表示品位がさらに向上する。
【０１３５】
図１８，２１で示すように、走査線対向部４７および基準線対向部４８のうちの少なくとも一方対向部内の欠落部４９が孔である場合、該一方対向部の両側にある２つの対向電極６が、列電極４４内に残る複数の部分を介して接続される。この結果前記複数の部分のうちのいずれかが断線した場合、残余の部分によって２つの対向電極が電気的に接続される。すなわち前記場合、列電極４４が走査線対向部４７および基準線対向部４８で断線しにくくなるので、好ましい。さらにまた図１８，２１で示すように、欠落部４９として穴が設けられる場合、穴は１つに限らず、複数形成されていてもよい。さらに１カ所の対向部内の欠落部４９として、端部の切欠きと少なくとも１つの穴とが共に設けられても良い。さらにまた図１６〜図２１で示す欠落部４９は矩形であるが、欠落部４９の形状は矩形に限らず他の形状、たとえば多角形、円形、または楕円形でもよい。
【０１３６】
また列電極４４の構造は、図１６〜図２１の構造に限らず、他の構造、たとえば欠落部４９が走査線向部４７だけに設けられる構造でも良い。この場合、少なくとも列電極４４の面積が従来技術の対向ソース構造のパネル部内の列電極の面積よりも減少するので、本実施の形態のパネル部４１の漏洩低周波電界が、従来技術の対向ソース構造のパネル部よりも低減する。なお図１９〜図２１の例では、列電極４４の欠落部４９は、２つの対向部４７，４８だけでなく、これら対向部４７，４８の間の部分にわたっているが、これに限らず、２つの対向部４７，４８それぞれに欠落部４９が設けられても良い。列電極４４の欠落部４９が図１９〜図２１に示す構造になっている場合、２つの対向部４７，４８それぞれに欠落部４９が設けられる場合よりも、列電極４４の面積が減少する。ゆえに前者の場合のほうが後者の場合よりも漏洩低周波電界が低減されるので、好ましい。以上が列電極４４の構造説明である。
【０１３７】
前記第４液晶表示装置は、パネル部４１の他に、該パネル部を駆動するための駆動部をさらに含む。前記駆動部の動作は、第２液晶表示装置の駆動部と等しい。またパネル部４１に階調信号の最大電圧差Ｖｓｐｐは、従来技術の対向ソース構造の液晶表示装置における該階調信号の電圧差と等しくてもよく、式９〜１２で規定された許容範囲内の値であってもよい。階調信号の最大電圧差Ｖｓｐｐが前記許容範囲内の値である場合、上述した列電極４４の形状に起因する効果に加えて、第２の実施の形態で説明した効果が得られるので、漏洩低周波電界をさらに効果的に低減させることができ、かつ第４液晶表示装置の表示品位をさらに向上させることができる。またパネル部４１の液晶のダイナミックレンジＶｄｙｎは、従来技術の対向ソース構造の液晶表示装置におけるダイナミックレンジと等しくてもよく、式２４〜２７で規定された許容範囲内の値であってもよい。ダイナミックレンジＶｄｙｎが前記許容範囲内の値である場合、上述した列電極４４の形状に起因する効果に加えて、図１３の構成で説明した効果が得られるので、漏洩低周波電界をさらに効果的に低減させることができ、かつ第４液晶表示装置の表示品位をさらに向上させることができる。
【０１３８】
第１〜第３の実施の形態の液晶表示装置は、本発明の表示装置の例示であり、主要な構成が等しければ、他の様々な形で実施することができる。たとえばパネル部内の部品の詳細な構成、たとえば形状および配置は、該部品の特徴が等しければ、上述の構成に限らず他の構成によって実現されてもよい。またたとえば前記液晶表示装置内の画素３の液晶層を、画素３内の２つの電極５，６間の電圧に応じて表示に拘わる状態が変化する表示媒体、たとえばＥＬ発光層に置換えても良い。ＥＬ発光層は、前記電圧に応じてＥＬ発光の光量を変化させる。この結果前記表示媒体を用いかつライン駆動方式で駆動される本発明の表示装置は、従来技術の表示装置よりも、漏洩低周波電界を低減させることができる。さらにまたたとえばＴＦＴで実現される３端子能動素子の代わりに、２端子能動素子、たとえばＭＩＭ素子が用いられても良い。
【０１３９】
【発明の効果】
以上のように本発明によれば、表示装置は、複数の画素電極が表示媒体層を介して単一の共通電極と対向する構成のパネル部を有し、かつ該共通電極に与えられる基準信号の電圧差Ｖｂｐｐが０．３５７８×ｘ-0.6156（ｘは共通電極の面積［ｍ2 ］）［Ｖ］でかつ０Ｖ以上の範囲内の値に制限されている。これによって前記表示装置は、前記基準信号の電圧差Ｖｂｐｐを調整するだけで、前記パネル部からの基準信号に起因する漏洩低周波電界を、前記ＴＣＯ規格の漏洩低周波電界の上限基準値以下に確実に抑制することができる。
また、前記表示装置のパネル部は、アクティブマトリクス型のパネル部になっている。したがって前記表示装置は、情報機器の画像の表示装置として使用するのに適している。
【０１４０】
さらにまた表示装置は、複数の画素電極が表示媒体層を介して少なくとも１つの対向電極とそれぞれ対向する構成のパネル部を有し、かつ該各対向電極に与えられる階調信号の電圧差Ｖｓｐｐがａ×ｘ-b［Ｖ］｛ａ＝  ０．３５６５×ｙ-0.6829，ｂ＝−０．０９３７ｙ＋０．７０９１，ｘは表示領域の面積、ｙは表示領域の面積に対する全対向電極の面積の比率｝以下でかつ０Ｖより大きい範囲内の値に制限されている。
前記表示装置のパネル部は、マトリクス型のパネル部になっている。したがって前記表示装置は、情報機器の画像の表示装置として使用するのに適している。
これによって前記表示装置は、前記階調信号の電圧差Ｖｓｐｐを規定するためのパネル部の構成を調整するだけで、前記パネル部からの階調信号に起因する漏洩低周波電界を、前記ＴＣＯ規格の漏洩低周波電界の上限基準値以下に確実に抑制することができる。
【０１４１】
また前記パネル部内の複数本の各階調信号線と該各階調信号線に接続された複数の対向電極とは一体化されて、導電体部を形成しており、該導電体部内の基準信号線と対向する第１部分の単位長さ当たりの面積は、該導電体部の該第１部分以外の残余部分の単位長さ当たりの面積よりも小さい。この結果前記表示装置のパネル部からの階調信号に起因する漏洩低周波電界がさらに低減され、かつ該パネル部の表示品位が向上される。
さらにまた前記導電体部内の走査信号線と対向する第２部分の単位長さ当たりの面積は、該導電体部内の該第２部分以外の残余部分の単位長さ当たりの面積よりも小さい。この結果前記表示装置のパネル部からの階調信号に起因する漏洩低周波電界がさらに低減される。
さらにまた前記導電体部は略帯状であり、導電体部内の前記第１部分には穴が設けられている。この結果前記導電体部が断線しにくくなる。
さらにまた導電体部内の前記第２部分には穴が設けられている。この結果前記導電体部が断線しにくくなる。
【０１４２】
前記表示装置のパネル部は、対向ソース構造のアクティブマトリクス型のパネル部になっている。この結果前記表示装置は、情報機器の画像の表示装置として使用するのにさらに適している。
【０１４３】
また以上のように本発明によれば、前記表示装置の前記表示媒体層は、液晶から形成されている。この結果前記液晶表示装置は、前記パネル部が薄型、軽量でかつ消費電力が低減され、さらにパネル部からの漏洩低周波電界をＴＣＯ規格の上限基準値以下に低減させることができる。したがって前記表示装置は、情報機器の表示装置として用いるのにさらに適する。
【図面の簡単な説明】
【図１】本発明の第１の実施の形態である液晶表示装置内のパネル部１の等価回路図である。
【図２】第１の実施の形態の液晶表示装置内のパネル部１の具体的構成構成を示す部分拡大斜視図である。
【図３】第１の実施の形態の液晶表示装置におけるライン反転駆動時の基準信号、ドット反転駆動時の基準信号、走査信号、および階調信号の波形図である。
【図４】パネル部１の漏洩低周波電界を測定するための実験設備を示す図である。
【図５】第１の実施の形態の液晶表示装置内のパネル部１における基準信号の最大電圧差Ｖｂｐｐと漏洩低周波電界との関係を示すグラフである。
【図６】第１の実施の形態の液晶表示装置内のパネル部１におけるパネル面積ｘと基準信号の最大電圧差Ｖｂｐｐとの関係を示すグラフである。
【図７】本発明の第２の実施の形態である液晶表示装置内のパネル部３１の概略構成を示す部分拡大斜視図である。
【図８】第２の実施の形態の液晶表示装置における基準信号、走査信号、および階調信号の波形図である。
【図９】階調電極比率ｙが０．７０の場合の第２の実施の形態の液晶表示装置内のパネル部３１における階調信号の最大電圧差Ｖｓｐｐと漏洩低周波電界との関係を示すグラフである。
【図１０】階調電極比率ｙが０．７０の場合の第２の実施の形態の液晶表示装置内のパネル部３１におけるパネル面積ｘと階調信号の最大電圧差Ｖｓｐｐとの関係を示すグラフである。
【図１１】階調電極比率ｙが１．００，０．８０，０．７０，０．６０の場合の第２の実施の形態の液晶表示装置内のパネル部３１におけるパネル面積ｘと階調信号の最大電圧差Ｖｓｐｐとの関係を示すグラフである。
【図１２】漏洩低周波電界がＴＣＯ規格の基準値と等しい状況下の対向ソース構造のパネル部の階調信号の最大電圧差Ｖｓｐｐとパネル面積ｘとの関係式がａｘ-bである場合における階調電界比率と前記関係式の定数ａおよび乗数ｂとの関係を示すグラフである。
【図１３】  本発明の前提となる液晶表示装置内のパネル部における画素の電圧−透過率特性のグラフである。
【図１４】  本発明の第３の実施の形態である液晶表示装置内のパネル部４１の概略構成を示す部分拡大斜視図である。
【図１５】  第３の実施の形態の液晶表示装置内のパネル部４１の具体的構成を示す部分拡大斜視図である。
【図１６】  パネル部４１内にある列電極４４の本発明の前提となる第１の具体的形状を示す拡大部分平面図である。
【図１７】  パネル部４１内にある列電極４４の本発明の前提となる第２の具体的形状を示す拡大部分平面図である。
【図１８】  パネル部４１内にある列電極４４の本発明の前提となる第３の具体的形状を示す拡大部分平面図である。
【図１９】  第３の実施の形態のパネル部４１内にある列電極４４の具体的形状を示す拡大部分平面図である。
【図２０】  第３の実施の形態のパネル部４１内にある列電極４４の他の具体的形状を示す拡大部分平面図である。
【図２１】  第３の実施の形態のパネル部４１内にある列電極４４のさらに他の具体的形状を示す拡大部分平面図である。
【符号の説明】
３  画素
５  画素電極
６  対向電極
１１  主基板
１２  対向基板
１３  走査信号線
１４  階調信号線
１５  ＴＦＴ
１７  基準信号線
３７，４４  列電極
【図１】
0003699850.tif 000010
【図２】
0003699850.tif 000011
【図３】
0003699850.tif 000012
【図４】
0003699850.tif 000013
【図５】
0003699850.tif 000014
【図６】
0003699850.tif 000015
【図７】
0003699850.tif 000016
【図８】
0003699850.tif 000017
【図９】
0003699850.tif 000018
【図１０】
0003699850.tif 000019
【図１１】
0003699850.tif 000020
【図１２】
0003699850.tif 000021
【図１３】
0003699850.tif 000022
【図１４】
0003699850.tif 000023
【図１５】
0003699850.tif 000024
【図１６】
0003699850.tif 000025
【図１７】
0003699850.tif 000026
【図１８】
0003699850.tif 000027
【図１９】
0003699850.tif 000028
【図２０】
0003699850.tif 000029
【図２１】
0003699850.tif 000030